(57)【要約】      （修正有）【課題】システム全体の電力消費量を低減させつつ、そのシステムを長期間使用し続け、換気対象空間を快適な状態に保つことができる換気システムを提供する。【解決手段】換気システムであって、熱交換換気装置１１のそれぞれは、給気用送風機２３と、排気用送風機２５と、給気風路５１と、排気風路５３と、熱交換器２１と、給気用送風機２３及び排気用送風機２５を制御する駆動制御装置６１と、を備え、換気対象空間に対応し、必要な換気量である必要換気量が設定され、必要換気量に基づいて、少なくとも２台の熱交換換気装置のそれぞれが分担して換気する分担換気量がそれぞれ設定され、駆動制御装置は、分担換気量に基づいて、少なくとも１台の熱交換換気装置の給気用送風機を駆動させ、少なくとも他の１台の熱交換換気装置の排気用送風機を駆動させる。【選択図】図２
2014173795.tif 000002
【特許請求の範囲】
【請求項１】
同一の換気対象となる換気対象空間に、複数の熱交換換気装置が設けられる換気システムであって、
前記複数の熱交換換気装置のうち、少なくとも２台の熱交換換気装置のそれぞれは、
前記換気対象空間に給気する送風機である給気用送風機と、
前記換気対象空間の外部へ排気する送風機である排気用送風機と、
前記外部から前記換気対象空間へ室外空気を導く給気風路と、
前記換気対象空間から前記外部へ室内空気を導く排気風路と、
前記給気風路と、前記排気風路とが交差する箇所に設けられ、前記室外空気と、前記室内空気とを熱交換させる熱交換器と、
前記給気用送風機及び前記排気用送風機を制御する駆動制御装置と、
を備え、
前記換気対象空間に対応し、必要な換気量である必要換気量が設定され、
前記必要換気量に基づいて、前記少なくとも２台の熱交換換気装置のそれぞれが分担して換気する分担換気量がそれぞれ設定され、
前記駆動制御装置は、
前記分担換気量に基づいて、少なくとも１台の前記熱交換換気装置の前記給気用送風機を駆動させ、少なくとも他の１台の前記熱交換換気装置の前記排気用送風機を駆動させる
ことを特徴とする換気システム。
【請求項２】
前記駆動制御装置は、
前記室外空気を前記室内空気と熱交換せずに前記換気対象空間へ導く普通換気モードであって、
前記給気用送風機を駆動させた場合、前記排気用送風機を停止させ、
前記排気用送風機を駆動させた場合、前記給気用送風機を停止させる
ことを特徴とする請求項１に記載の換気システム。
【請求項３】
前記駆動制御装置は、
室外温度が予め設定された設定温度以上であり、前記室外温度が室内温度未満の場合、前記普通換気モードで動作させ、
前記室外温度が前記設定温度以上であり、前記室外温度が前記室内温度以上の場合、熱交換換気モードとして、前記給気用送風機及び前記排気用送風機の両方を駆動させ、
前記室外温度が前記設定温度未満であり、前記室外温度が前記室内温度以上の場合、前記普通換気モードで動作させ、
前記室外温度が前記設定温度未満であり、前記室外温度が前記室内温度未満の場合、前記熱交換換気モードで動作させる
ことを特徴とする請求項２に記載の換気システム。
【請求項４】
前記少なくとも２台の熱交換換気装置のそれぞれは、
前記駆動制御装置と各種信号を送受信するリモートコントローラーをさらに備え、
前記リモートコントローラーは、
前記分担換気量の設定信号を前記駆動制御装置に送信し、
前記駆動制御装置は、
前記換気量の設定信号を受信した場合、前記換気量の設定信号に対応した動作設定に関する情報に基づいて、前記給気用送風機及び前記排気用送風機を制御する
ことを特徴とする請求項３に記載の換気システム。
【請求項５】
前記リモートコントローラーは、
該リモートコントローラーと対で設けられている前記熱交換換気装置である自機以外であって、前記換気対象空間に存在する少なくとも１台の別の前記熱交換換気装置と通信し、
前記自機以外の、前記室外温度、前記室内温度、前記給気用送風機の動作状態、及び前記排気用送風機の動作状態を収集し、
前記給気用送風機の動作状態に基づいて特定された動作中の前記給気用送風機に対応した前記室外温度を演算用室外温度に決定し、
前記排気用送風機の動作状態に基づいて特定された動作中の前記排気用送風機に対応した前記室内温度を演算用室内温度に決定する
ことを特徴とする請求項４に記載の換気システム。
【請求項６】
前記リモートコントローラーは、
前記駆動制御装置に前記分担換気量が設定されていない場合、前記普通換気モードに対応した前記給気用送風機若しくは前記排気用送風機の回転速度を設定する信号である回転速度設定信号を前記駆動制御装置に送信し、又は、前記熱交換換気モードに対応した前記給気用送風機及び前記排気用送風機の前記回転速度設定信号を前記駆動制御装置に送信する
ことを特徴とする請求項５に記載の換気システム。
【請求項７】
前記駆動制御装置は、
該駆動制御装置と対で設けられている前記熱交換換気装置である自機以外であって、前記換気対象空間に存在する少なくとも１台の別の前記熱交換換気装置と通信し、
前記自機以外の、前記分担換気量を取得し、
前記換気量のうち、前記給気用送風機の給気量の合計が前記必要換気量と比べて大きい場合、前記給気量の合計値を前記必要換気量に下げて前記給気用送風機を制御し、
前記換気量のうち、前記給気用送風機の給気量の合計が前記必要換気量に等しい場合、前記給気量の合計値を維持して前記給気用送風機を制御し、
前記換気量のうち、前記給気用送風機の給気量の合計が前記必要換気量と比べて小さい場合、前記給気量の合計値を前記必要換気量に上げて前記給気用送風機を制御し、
前記換気量のうち、前記排気用送風機の排気量の合計が前記必要換気量と比べて大きい場合、前記排気量の合計値を前記必要換気量に下げて前記排気用送風機を制御し、
前記換気量のうち、前記排気用送風機の排気量の合計が前記必要換気量に達していない場合、前記排気量の合計値を維持して前記排気用送風機を制御し、
前記換気量のうち、前記排気用送風機の排気量の合計が前記必要換気量と比べて小さい場合、前記排気量の合計値を前記必要換気量に上げて前記排気用送風機を制御する
ことを特徴とする請求項６に記載の換気システム。
【請求項８】
前記リモートコントローラーは、
前記普通換気モードの場合、
前記換気対象空間の前記室内温度のうち、前記室内温度の低い側の前記熱交換換気装置に前記給気用送風機の前記回転速度設定信号を送信した場合、前記室内温度の高い側の前記熱交換換気装置に前記排気用送風機の前記回転速度設定信号を送信し、
前記換気対象空間の前記室内温度のうち、前記室内温度の高い側の前記熱交換換気装置に前記給気用送風機の前記回転速度設定信号を送信した場合、前記室内温度の低い側の前記熱交換換気装置に前記給気用送風機の前記回転速度設定信号を送信する
ことを特徴とする請求項７に記載の換気システム。
【請求項９】
前記リモートコントローラーは、
前記室外温度が前記設定温度以上であり、前記室外温度が前記室内温度以上であり、前記室外温度及び前記室内温度のばらつき度合いが大きい場合、前記普通換気モードで制御を行い、
前記室外温度が前記設定温度以上であり、前記室外温度が前記室内温度以上であり、前記室外温度及び前記室内温度のばらつき度合いが小さい場合、前記熱交換換気モードで制御を行い、
前記室外温度が前記設定温度未満であり、前記室外温度が前記室内温度未満であり、前記室外温度及び前記室内温度のばらつき度合いが大きい場合、前記普通換気モードで制御を行い、
前記室外温度が前記設定温度未満であり、前記室外温度が前記室内温度未満であり、前記室外温度及び前記室内温度のばらつき度合いが小さい場合、前記熱交換換気モードで制御を行う
ことを特徴とする請求項８に記載の換気システム。
【発明の詳細な説明】
【技術分野】
【０００１】
本発明は、換気システムに関する。
【背景技術】
【０００２】
従来の換気システムのうち、任意換気運転の終了後、強制換気運転中に給気用送風機及び排気用送風機を間欠運転させることで、強制換気運転時の換気量を少なくし、消費電力量を低減させているものがあった（例えば、特許文献１参照）。
【０００３】
また、従来の換気システムのうち、全熱交換素子が設けられ、例えば、夏場の冷房時、室内からの低温及び低湿の排気と、室外からの高温及び高湿の給気とを全熱交換素子で全熱交換させることで、給気される新鮮な外気を室内に近い温度及び湿度に変化させ、室内の空調負荷を低減させているものがあった（例えば、特許文献２参照）。
【０００４】
また、従来の換気システムのうち、風路切替手段が設けられ、風路切替手段は、室外の空気を室内へ導く給気風路及び室内の空気を室外へ導く排気風路の何れか一方を全熱交換器に通すか否かを切り替えることで、室内及び室外の状況に応じて室内の空調負荷を低減させているものがあった（例えば、特許文献３参照）。
【先行技術文献】
【特許文献】
【０００５】
【特許文献１】特許第４４８３９９５号公報（段落［００８７］）
【特許文献２】特開平７−２８０３１６号公報（段落［０００４］）
【特許文献３】特開平１−１８４３４７号公報（請求項１）
【発明の概要】
【発明が解決しようとする課題】
【０００６】
しかし、間欠運転を前提とした制御である場合、各送風機を駆動する駆動用リレーのスイッチング回数は増大し、駆動用リレーは短期間のうちに寿命に達してしまう虞があった。よって、間欠運転でシステム全体の電力消費量を低減させることはできるものの、そのシステムを長期間使用し続けることはできなかった。
【０００７】
また、間欠運転を行うことで、各送風機の運転と停止とが頻繁に繰り返されることになり、換気対象空間に在室する在室者は、各送風機が発する音の変化を繰り返し聞かされ、違和感を覚えることがあった。よって、間欠運転でシステム全体の電力消費量を低減させることはできるものの、そのシステムは換気対象空間を快適な状態に保つことができなかった。
【０００８】
また、間欠運転時において、各送風機の回転速度を上げることで、熱交換器の温度交換効率を下げる制御が実行されているが、熱交換器の温度交換効率は、８４％から７０％とせいぜい１４％程度下がるだけであった。よって、間欠運転を前提として熱交換器を行うことで空調負荷を低減させ、消費電力量を低減させたとしても、換気対象空間に供給される空気の温度が適切に制御されていない虞があった。
【０００９】
また、換気停止期間中、換気対象空間に在室する在室者に対する考慮が不足していた。例えば、換気停止期間中、換気対象空間に在室する在室者が増加した場合、換気対象空間のＣＯ２濃度が急激に増加する可能性があるが、そのような換気対象空間の変化に対する各送風機の制御については特に考慮されていなかった。よって、風路切替手段で給気風路及び排気風路の何れか一方を全熱交換器に通すか否かを切り替えて室内の空調負荷を低減させたとしても、換気装置としての一次機能が損なわれ、換気対象空間を快適な状態に保つことができない虞があった。
【００１０】
したがって、間欠運転を前提としたことで、システム全体の電力消費量を低減させることはできるものの、そのシステムを長期間使用し続け、換気対象空間を快適な状態に保つことができないという問題点があった。
【００１１】
本発明は、上記のような問題点を解決するためになされたもので、システム全体の電力消費量を低減させつつ、そのシステムを長期間使用し続け、換気対象空間を快適な状態に保つことができる換気システムを提供することを目的とするものである。
【課題を解決するための手段】
【００１２】
本発明に係る換気システムは、同一の換気対象となる換気対象空間に、複数の熱交換換気装置が設けられる換気システムであって、前記複数の熱交換換気装置のうち、少なくとも２台の熱交換換気装置のそれぞれは、前記換気対象空間に給気する送風機である給気用送風機と、前記換気対象空間の外部へ排気する送風機である排気用送風機と、前記外部から前記換気対象空間へ室外空気を導く給気風路と、前記換気対象空間から前記外部へ室内空気を導く排気風路と、前記給気風路と、前記排気風路とが交差する箇所に設けられ、前記室外空気と、前記室内空気とを熱交換させる熱交換器と、前記給気用送風機及び前記排気用送風機を制御する駆動制御装置と、を備え、前記換気対象空間に対応し、必要な換気量である必要換気量が設定され、前記必要換気量に基づいて、前記少なくとも２台の熱交換換気装置のそれぞれが分担して換気する分担換気量がそれぞれ設定され、前記駆動制御装置は、前記分担換気量に基づいて、少なくとも１台の前記熱交換換気装置の前記給気用送風機を駆動させ、少なくとも他の１台の前記熱交換換気装置の前記排気用送風機を駆動させるものである。
【発明の効果】
【００１３】
本発明に係る換気システムは、同一換気対象空間に配置される複数の熱交換換気装置を協調動作させ、換気対象空間の換気を継続させる。よって、本発明に係る換気システムは、システム全体の電力消費量を低減させつつ、そのシステムを長期間使用し続け、換気対象空間を快適な状態に保つことができるという効果を有する。
【図面の簡単な説明】
【００１４】
【図１】本発明の実施の形態１における換気システム１を換気対象空間５に設けた場合のレイアウトの一例を示す図である。
【図２】本発明の実施の形態１における熱交換換気装置１１の内部構成例を示す図である。
【図３】本発明の実施の形態１における駆動制御装置６１及びリモートコントローラー６３の内部構成例を示す図である。
【図４】本発明の実施の形態１における換気システム１の制御例を説明するフローチャートである。
【図５】本発明の実施の形態１における換気対象空間５の必要換気量を８００ｍ３／ｈとした場合の給気用送風機２３及び排気用送風機２５の動作設定の一例を示す図である。
【図６】本発明の実施の形態１における換気対象空間５の必要換気量を６００ｍ３／ｈとした場合の給気用送風機２３及び排気用送風機２５の動作設定の一例を示す図である。
【図７】本発明の実施の形態１における換気対象空間５の必要換気量を４００ｍ３／ｈとした場合の給気用送風機２３及び排気用送風機２５の動作設定の一例を示す図である。
【図８】本発明の実施の形態１における駆動制御装置６１の制御例を説明するフローチャートである。
【図９】本発明の実施の形態２における駆動制御装置６１の制御例を説明するフローチャートである。
【図１０】本発明の実施の形態３における駆動制御装置６１の制御例を説明するフローチャートである。
【図１１】本発明の実施の形態４におけるリモートコントローラー６３の制御例を説明するフローチャートである。
【図１２】本発明の実施の形態５におけるリモートコントローラー６３の制御例を説明するフローチャートである。
【図１３】本発明の実施の形態６における駆動制御装置６１の制御例を説明するフローチャートである。
【図１４】本発明の実施の形態６における換気対象空間５の必要換気量を１２００ｍ３／ｈとした場合の給気用送風機２３及び排気用送風機２５の動作設定の一例を示す図である。
【図１５】本発明の実施の形態７におけるリモートコントローラー６３の制御例を説明するフローチャートである。
【図１６】本発明の実施の形態７における換気対象空間５の必要換気量を６００ｍ３／ｈとした場合の給気用送風機２３及び排気用送風機２５の動作設定の一例と、室外温度センサ３７の検出温度Ｔ１及び室内温度センサ３３の検出温度Ｔ２の検出結果の一例とを示す図である。
【図１７】本発明の実施の形態８におけるリモートコントローラー６３の制御例を説明するフローチャートである。
【図１８】本発明の実施の形態９における換気対象空間５の必要換気量を給気が８００ｍ３／ｈ、排気が４００ｍ３／ｈとした場合の給気用送風機２３及び排気用送風機２５の動作設定の一例を示す図である。
【図１９】本発明の実施の形態９における換気対象空間５の必要換気量を給気が４００ｍ３／ｈ、排気が８００ｍ３／ｈとした場合の給気用送風機２３及び排気用送風機２５の動作設定の一例を示す図である。
【発明を実施するための形態】
【００１５】
以下、本発明の実施の形態について、図面を用いて詳細に説明する。
【００１６】
実施の形態１．
図１は、本発明の実施の形態１における換気システム１を換気対象空間５に設けた場合のレイアウトの一例を示す図である。本発明の実施の形態１における換気システム１は、概略的には、同一の換気対象空間５に配置される複数の熱交換換気装置１１＿１〜１１＿４を協調動作させ、換気対象空間５の換気を継続させる動作を行うものである。よって、換気システム１は、システム全体の電力消費量を低減させつつ、そのシステムを長期間使用し続け、換気対象空間５を快適な状態に保つこととなる。以後、換気システム１の詳細について説明する。
【００１７】
図１に示すように、換気対象空間５は、出入口７を備え、閉じられた空間、例えば、居室等の室内である。換気対象空間５には、換気システム１が設けられている。換気システム１は、例えば、熱交換換気装置１１＿１、熱交換換気装置１１＿２、熱交換換気装置１１＿３、及び熱交換換気装置１１＿４等で構成される。
【００１８】
なお、熱交換換気装置１１＿１、熱交換換気装置１１＿２、熱交換換気装置１１＿３、及び熱交換換気装置１１＿４を特に区別しない場合、熱交換換気装置１１と称する。また、図１の一例においては、熱交換換気装置１１が４台だけ換気対象空間５に設けられた場合について説明したが、台数及び配置は特に限定しない。
【００１９】
次に、熱交換換気装置１１の詳細について説明する。図２は、本発明の実施の形態１における熱交換換気装置１１の内部構成例を示す図である。図２に示すように、熱交換換気装置１１は、駆動制御装置６１、筐体１２、室外側吐出口１３、室外側吸込口１５、室内側吸込口１７、室内側吐出口１９、熱交換器２１、給気用送風機２３、排気用送風機２５、室内温度センサ３３、及び室外温度センサ３７を備え、給気風路５１及び排気風路５３が筐体１２の内部に形成され、熱交換器２１にて交差する風路である。また、駆動制御装置６１には、伝送路７０を介して、リモートコントローラー６３が接続されている。
【００２０】
給気用送風機２３は、筐体１２内部の給気風路５１内の室内側吐出口１９側に配置され、シロッコファンであるファン本体と、ファン本体を駆動するファンモータとで構成されている。ファンモータは、その回転数を段階的に変更するための回転数切換機構が設けられている。回転数切換機構は、ファン本体の回転速度を調整可能である。例えば、ファンモータは、回転数切換機構を用いることで、３段階に回転数を調整できる。例えば、強運転として４００ｍ３／ｈ、中運転として２００ｍ３／ｈ、及び弱運転として１００ｍ３／ｈに調整できる。給気用送風機２３は、ファン本体を駆動させることで、外部から取り込んだ空気を室内へ吐出させる負圧を生む。この結果、図２の破線で示される風路に沿って空気が流れていく。
【００２１】
排気用送風機２５は、筐体１２内部の排気風路５３内の室外側吐出口１３側に配置され、シロッコファンであるファン本体と、ファン本体を駆動するファンモータとで構成されている。ファンモータは、その回転数を段階的に変更するための回転数切換機構が設けられている。回転数切換機構は、ファン本体の回転速度を調整可能である。例えば、ファンモータは、回転数切換機構を用いることで、３段階に回転数を調整できる。例えば、強運転として４００ｍ３／ｈ、中運転として２００ｍ３／ｈ、及び弱運転として１００ｍ３／ｈに調整できる。排気用送風機２５は、ファン本体を駆動させることで、室内から取り込んだ空気を外部へ吐出させる負圧を生む。この結果、図２の一点鎖線で示される風路に沿って空気が流れていく。
【００２２】
熱交換器２１は、給気用送風機２３を駆動させることに伴い、給気風路５１に沿って外部から取り込んだ室外空気と、排気用送風機２５を駆動させることに伴い、排気風路５３に沿って室内から取り込んだ室内空気とを熱交換する。このとき、熱交換器２１では、室外空気と、室内空気との間で、一方から他方へ互いに熱と水分とが移動する。つまり、熱交換器２１では、湿り空気同士の間でエンタルピが交換されるようになっている。
【００２３】
室内温度センサ３３は、排気風路５３内の室内側吸込口１７側に設けられ、室内側吸込口１７から取り込まれた室内空気の温度を検知する。
【００２４】
室外温度センサ３７は、給気風路５１内の室外側吸込口１５側に設けられ、室外側吸込口１５から取り込まれた室外空気の温度を検知する。
【００２５】
駆動制御装置６１は、詳細については後述するが、熱交換換気装置１１の動作を制御し、リモートコントローラー６３との間で各種信号を送受信したり、リモートコントローラー６３に電力を供給する。筐体１２は、熱交換換気装置１１の外郭を形成する。室外側吐出口１３は、筐体１２に取り付けられ、空気を外部に排気するダクト接続フランジを形成している。室外側吸込口１５は、筐体１２に取り付けられ、空気を外部から吸い込むダクト接続フランジを形成している。室内側吸込口１７は、筐体１２に取り付けられ、空気を室内から吸い込むダクト接続フランジを形成している。室内側吐出口１９は、筐体１２に取り付けられ、空気を室内へ吐出するダクト接続フランジを形成している。
【００２６】
リモートコントローラー６３は、詳細については後述するが、熱交換換気装置１１の運転を開始したり、停止したりする運転信号を駆動制御装置６１に送信する。また、リモートコントローラー６３は、ファン本体の回転速度を設定するための回転速度信号を駆動制御装置６１に送信する。
【００２７】
上記で説明したように、熱交換換気装置１１は、室内空気と室外空気とを熱交換する。よって、熱交換換気装置１１は、換気対象空間５の空調負荷を軽減させることができるので、換気対象空間５を制御する空調機器の電力消費量を削減させることができる。
【００２８】
次に、駆動制御装置６１及びリモートコントローラー６３の詳細について説明する。図３は、本発明の実施の形態１における駆動制御装置６１及びリモートコントローラー６３の内部構成例を示す図である。図３に示すように、駆動制御装置６１は、マイクロコンピュータ１０１、機能設定手段１０３、揮発性メモリ１０５、不揮発性メモリ１０７、及び送受信手段１０９等を備える。
【００２９】
また、図３に示すように、マイクロコンピュータ１０１と、機能設定手段１０３と、揮発性メモリ１０５と、不揮発性メモリ１０７と、送受信手段１０９との間の通信は、バス９１を介して実行される。バス９１は、各種データを交換する共通の通信経路であり、回路上に実装される。なお、バス９１は、シリアルバス又はパラレルバスのどちらであってもよい。
【００３０】
機能設定手段１０３は、例えば、熱交換換気装置１１のアドレス値を設定し、設定結果をマイクロコンピュータ１０１に供給する。機能設定手段１０３は、例えば、熱交換換気装置１１に設けられている給気用送風機２３の動作を設定したり、排気用送風機２５の動作を設定したりし、設定結果をマイクロコンピュータ１０１に供給する。機能設定手段１０３は、例えば、ディップスイッチ等で構成される場合、使用者等にディップスイッチを適宜切り替えさせることで、熱交換換気装置１１の各種設定を行う。
【００３１】
例えば、機能設定手段１０３で、給気用送風機２３の回転数が設定される。また、例えば、機能設定手段１０３で、排気用送風機２５の回転数が設定される。また、例えば、機能設定手段１０３で、使用する給気用送風機２３が設定される。また、例えば、機能設定手段１０３で、使用する排気用送風機２５が設定される。なお、これらの各種設定は、後述する換気対象空間５の必要換気量に基づいて設定されるものである。
【００３２】
なお、機能設定手段１０３で設定できる機能は上記の説明に限定しない。例えば、停電時自動復帰機能を設定することも可能である。要するに、機能設定手段１０３は、熱交換換気装置１１の各種動作を設定できるものである。また、機能設定手段１０３がディップスイッチ等で構成される一例について説明したが、特にこれに限定しない。例えば、機能設定手段１０３は、ロータリースイッチで構成されてもよい。
【００３３】
揮発性メモリ１０５は、電源の供給が継続されている間だけ情報を保持するものであり、駆動制御装置６１が実行する各種演算の一時的な情報の蓄積手段として構成されるものである。不揮発性メモリ１０７は、電源の供給の有無にかかわらず、情報を保持するものであり、駆動制御装置６１の各種演算で使用される情報の蓄積手段として構成されるものである。
【００３４】
送受信手段１０９は、伝送路７０を介して、リモートコントローラー６３と各種信号を送受信する。例えば、送受信手段１０９は、マイクロコンピュータ１０１から取得した各種信号を伝送路７０を介したリモートコントローラー６３の送信に適合した信号に変換し、伝送路７０を介してリモートコントローラー６３に送信する。また、例えば、送受信手段１０９は、伝送路７０を介してリモートコントローラー６３から送信された信号をマイクロコンピュータ１０１の許容動作範囲に適合した信号に変換し、バス９１を介してマイクロコンピュータ１０１に送信する。
【００３５】
マイクロコンピュータ１０１は、例えば、図示しないＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＣＰＵ（Ｃｅｎｔｒａｌ  Ｐｒｏｃｅｓｓｉｎｇ  Ｕｎｉｔ）等で構成される。マイクロコンピュータ１０１は、機能設定手段１０３、揮発性メモリ１０５、不揮発性メモリ１０７、及び送受信手段１０９を統括制御する。
【００３６】
また、図３に示すように、リモートコントローラー６３は、出力手段６５、入力手段６７、マイクロコンピュータ１１１、揮発性メモリ１１５、不揮発性メモリ１１７、及び送受信手段１１９等を備える。出力手段６５と、入力手段６７と、マイクロコンピュータ１１１と、揮発性メモリ１１５と、不揮発性メモリ１１７と、送受信手段１１９との間の通信は、バス９３を介して実行される。バス９３は、各種データを交換する共通の通信経路であり、回路上に実装される。なお、バス９３は、シリアルバス又はパラレルバスのどちらであってもよい。
【００３７】
出力手段６５は、マイクロコンピュータ１１１の各種演算結果を表示する手段であり、例えば、液晶ディスプレイで構成される。なお、出力手段６５の構成は上記の説明に限定しない。例えば、出力手段６５は、有機ＥＬ（Ｅｌｅｃｔｒｏ−Ｌｕｍｉｎｅｓｃｅｎｃｅ）ディスプレイで構成されてもよい。要するに、マイクロコンピュータ１１１の各種演算結果がリモートコントローラー６３の使用者等に伝達できる手段であれば、特に限定しない。
【００３８】
入力手段６７は、マイクロコンピュータ１１１に各種指令を供給するトリガとなり、例えば、押しボタン等で構成される。例えば、入力手段６７が操作されることで、操作されたボタンに対応した操作内容に関する各種コードがマイクロコンピュータ１１１に供給される。なお、入力手段６７の構成は、上記の説明に限定しない。例えば、入力手段６７は、タッチパネルで構成されてもよい。この場合、出力手段６５が液晶ディスプレイであれば、液晶ディスプレイにタッチパネルを重ね合わせることでタッチパネルディスプレイとして、出力手段６５と入力手段６７とを兼任させた構成とすることができる。要するに、マイクロコンピュータ１１１に各種指令を供給できる入力手段６７であれば、特に限定するものではない。
【００３９】
揮発性メモリ１１５は、電源の供給が継続されている間だけ情報を保持するものであり、リモートコントローラー６３が実行する各種演算の一時的な情報の蓄積手段として構成されるものである。不揮発性メモリ１１７は、電源の供給の有無にかかわらず、情報を保持するものであり、リモートコントローラー６３の各種演算で使用される情報の蓄積手段として構成されるものである。
【００４０】
送受信手段１１９は、伝送路７０を介して、駆動制御装置６１と各種信号を送受信する。例えば、送受信手段１１９は、マイクロコンピュータ１１１から取得した各種信号を伝送路７０を介した駆動制御装置６１の送信に適合した信号に変換し、伝送路７０を介して駆動制御装置６１に送信する。また、例えば、送受信手段１１９は、伝送路７０を介して駆動制御装置６１から送信された信号をマイクロコンピュータ１１１の許容動作範囲に適合した信号に変換し、バス９３を介してマイクロコンピュータ１１１に送信する。
【００４１】
マイクロコンピュータ１１１は、例えば、図示しないＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＣＰＵ（Ｃｅｎｔｒａｌ  Ｐｒｏｃｅｓｓｉｎｇ  Ｕｎｉｔ）等で構成される。マイクロコンピュータ１１１は、例えば、出力手段６５、入力手段６７、揮発性メモリ１１５、不揮発性メモリ１１７、及び送受信手段１１９等を統括制御する。
【００４２】
また、図３に示すように、駆動制御装置６１には、室内温度センサ３３の検知結果と、室外温度センサ３７の検知結果とが入力される。例えば、室内温度センサ３３の検知結果及び室外温度センサ３７の検知結果は、送受信手段１０９に送信され、送受信手段１０９がマイクロコンピュータ１０１にその内容を供給することで、マイクロコンピュータ１０１は各種演算を実行し、実行結果に基づいて給気用送風機２３及び排気用送風機２５に回転速度設定信号を送信する。なお、回転速度設定信号は、リモートコントローラー６３から供給された場合、駆動制御装置６１はその供給された回転速度設定信号を給気用送風機２３及び排気用送風機２５に供給する。なお、回転速度設定信号は、給気用送風機２３のファン本体及び排気用送風機２５のファン本体の回転数を規定する信号である。
【００４３】
次に、熱交換換気装置１１の換気運転について説明する。熱交換換気装置１１の換気運転は、任意換気運転と、強制換気運転とに分類される。任意換気運転は、任意に換気を行う換気運転であり、いわゆる通常の換気運転である。
【００４４】
任意換気運転は、具体的には、リモートコントローラー６３の運転指令に基づいて行われる換気運転である。例えば、３段階に設定された風量のうちの何れかの風量が、図示しない使用者によって、リモートコントローラー６３で選択されたと想定する。次に、図示しない使用者が、リモートコントローラー６３の図示しない運転スイッチが操作され、ＯＮ状態になると、選択された風量に対応する回転速度信号のコードと、熱交換換気装置１１の運転を開始する運転信号のコードとが、リモートコントローラー６３から駆動制御装置６１に送信される。
【００４５】
次に、給気用送風機２３及び排気用送風機２５は、選択された風量に基づいて駆動を開始する。その結果、外部である屋外の室外空気は、熱交換器２１を通り、給気用送風機２３に吸い込まれる。一方、換気対象空間５である居室内の室内空気は熱交換器２１を通り、排気用送風機２５に吸い込まれる。そして、熱交換器２１では、給気風路５１を流れる室外空気と、排気風路５３を流れる室内空気とのそれぞれにおいて、一方から他方へと、熱と水分とが移動し、互いに温度と湿度とが近づいていく。
【００４６】
次いで、給気用送風機２３に吸い込まれた屋外の室外空気は、給気用送風機２３から居室内に吹き出される。一方、排気用送風機２５に吸い込まれた居室内の室内空気は、排気用送風機２５から屋外に排出される。よって、リモートコントローラー６３の運転指令で、換気対象空間５である居室内の空気が換気される。
【００４７】
一方、強制換気運転は、任意換気運転と比べて少ない換気量であって、予め定めた必要換気量以上の換気量で換気対象空間５を常時強制的に換気する換気運転であり、いわゆる２４時間換気運転である。
【００４８】
強制換気運転は、普通換気モードと、熱交換換気モードとに分類される。普通換気モードは、熱交換器２１を通さない換気運転であって、換気対象空間５である居室内の室内空気と、外部である屋外の室外空気とを熱交換させたくない場合に用いられるモードである。普通換気モードは、給気用送風機２３及び排気用送風機２５の何れか一方だけを駆動させることで実現される。それは、給気用送風機２３及び排気用送風機２５の何れか一方だけの駆動では、熱交換器２１に、室外空気と、室内空気との両方を運ぶことができないからである。
【００４９】
一方、熱交換換気モードは、熱交換器２１を通す換気運転であって、換気対象空間５である居室内の室内空気と、外部である屋外の室外空気とを熱交換させたい場合に用いられるモードである。熱交換換気モードは、給気用送風機２３及び排気用送風機２５の両方を駆動させることで実現される。それは、給気用送風機２３及び排気用送風機２５の両方の駆動に伴い、熱交換器２１に、室外空気と、室内空気との両方を運ぶことができるからである。
【００５０】
換言すれば、給気用送風機２３及び排気用送風機２５の駆動を制御することで、風路切替手段を設けなくても、給気風路５１及び排気風路５３の何れか一方を熱交換器２１に通すか否かを切り替えることができる。
【００５１】
次に、任意換気運転と、強制換気運転との切り替えタイミングの一例について説明する。図４は、本発明の実施の形態１における換気システム１の制御例を説明するフローチャートである。
【００５２】
ステップＳ１１において、換気システム１は、任意換気運転を開始する開始信号を受けたか否かを判定する。換気システム１は、任意換気運転を開始する開始信号を受けた場合、ステップＳ１２に進む。一方、換気システム１は、任意換気運転を開始する開始信号を受けない場合、ステップＳ１８に進む。
【００５３】
ステップＳ１２において、換気システム１は、強制換気運転中であるか否かを判定する。換気システム１は、強制換気運転中である場合、ステップＳ１３に進む。一方、換気システム１は、強制換気運転中でない場合、ステップＳ１５に進む。
【００５４】
ステップＳ１３において、換気システム１は、強制換気運転を終了させる。つまり、換気システム１は、強制換気運転中に任意換気運転を開始する開始信号を受けた場合、強制換気運転を終了させる。
【００５５】
ステップＳ１４において、換気システム１は、任意換気運転を開始させる。つまり、換気システム１は、強制換気運転の終了後、任意換気運転を開始させる。
【００５６】
ステップＳ１５において、換気システム１は、任意換気運転を停止する停止信号を受けたか否かを判定する。換気システム１は、任意換気運転を停止する停止信号を受けた場合、ステップＳ１６に進む。換気システム１は、任意換気運転を停止する停止信号を受けない場合、ステップＳ１１に戻る。
【００５７】
ステップＳ１６において、換気システム１は、任意換気運転を終了させる。
【００５８】
ステップＳ１７において、換気システム１は、強制換気運転を開始させる。つまり、換気システム１は、任意換気運転の終了後、強制換気運転を開始させる。
【００５９】
ステップＳ１８において、換気システム１は、任意換気運転中であるか否かを判定する。換気システム１は、任意換気運転中である場合、ステップＳ１５に進む。一方、換気システム１は、任意換気運転中でない場合、ステップＳ１１に戻る。
【００６０】
上記で説明したように、任意換気運転と、強制換気運転とは互いに相補的に動作が実行される。なお、上記の説明の動作は一例であって、特にこれに限定しない。例えば、時刻でスケジュール管理されている場合、予め設定された時間をトリガとして、任意換気運転と、強制換気運転とが切り替わる。
【００６１】
なお、強制換気運転に移行後の詳細動作については、図８を用いて後述する。
【００６２】
次に、同一の換気対象空間５に熱交換換気装置１１が４台設けられ、複数の熱交換換気装置１１のうち、１台の熱交換換気装置１１に設けられているリモートコントローラー６３が同一の換気対象空間５に設けられている熱交換換気装置１１の動作設定の一例について説明する。なお、この場合、伝送路７０は、図示は省略するが、駆動制御装置６１同士が接続され、互いに通信可能な通信構成となっている。また、伝送路７０は、通信媒体であるため、有線通信、無線通信、及び光通信のいずれであってもよく、通信媒体については特に限定しない。また、後述する図５〜図７の各レイアウト例は、熱交換換気装置１１の配置構成自体は同一であるが、換気対象空間５の必要換気量が異なる設定であるため、熱交換換気モード時の送風機動作設定及び普通換気モード時の送風機動作設定はそれぞれ異なるものとなっている。
【００６３】
なお、熱交換換気装置１１＿１の各構成要素を特定する場合、サフィックスとして１を付記する。また、熱交換換気装置１１＿２の各構成要素を特定する場合、サフィックスとして２を付記する。また、熱交換換気装置１１＿３の各構成要素を特定する場合、サフィックスとして３を付記する。また、熱交換換気装置１１＿４の各構成要素を特定する場合、サフィックスとして４を付記する。
【００６４】
図５は、本発明の実施の形態１における換気対象空間５の必要換気量を８００ｍ３／ｈとした場合の給気用送風機２３及び排気用送風機２５の動作設定の一例を示す図である。
【００６５】
図５に示すように、熱交換換気装置１１＿１は、強制換気運転時の送風機動作設定として、熱交換換気モード時の場合、給気量が中の段階であって、２００ｍ３／ｈの換気量が規定されている。熱交換換気装置１１＿１は、強制換気運転時の送風機動作設定として、熱交換換気モード時の場合、排気量が中の段階であって、２００ｍ３／ｈの換気量が規定されている。熱交換換気装置１１＿１は、強制換気運転時の送風機動作設定として、普通換気モード時の場合、給気量が強の段階であって、４００ｍ３／ｈの換気量が規定されている。熱交換換気装置１１＿１は、強制換気運転時の送風機動作設定として、普通換気モード時の場合、排気量が停止の段階であって、０ｍ３／ｈの換気量が規定されている。
【００６６】
また、図５に示すように、熱交換換気装置１１＿２は、強制換気運転時の送風機動作設定として、熱交換換気モード時の場合、給気量が中の段階であって、２００ｍ３／ｈの換気量が規定されている。熱交換換気装置１１＿２は、強制換気運転時の送風機動作設定として、熱交換換気モード時の場合、排気量が中の段階であって、２００ｍ３／ｈの換気量が規定されている。熱交換換気装置１１＿２は、強制換気運転時の送風機動作設定として、普通換気モード時の場合、給気量が強の段階であって、４００ｍ３／ｈの換気量が規定されている。熱交換換気装置１１＿２は、強制換気運転時の送風機動作設定として、普通換気モード時の場合、排気量が停止の段階であって、０ｍ３／ｈの換気量が規定されている。
【００６７】
また、図５に示すように、熱交換換気装置１１＿３は、強制換気運転時の送風機動作設定として、熱交換換気モード時の場合、給気量が中の段階であって、２００ｍ３／ｈの換気量が規定されている。熱交換換気装置１１＿３は、強制換気運転時の送風機動作設定として、熱交換換気モード時の場合、排気量が中の段階であって、２００ｍ３／ｈの換気量が規定されている。熱交換換気装置１１＿３は、強制換気運転時の送風機動作設定として、普通換気モード時の場合、給気量が停止の段階であって、０ｍ３／ｈの換気量が規定されている。熱交換換気装置１１＿３は、強制換気運転時の送風機動作設定として、普通換気モード時の場合、排気量が強の段階であって、４００ｍ３／ｈの換気量が規定されている。
【００６８】
また、図５に示すように、熱交換換気装置１１＿４は、強制換気運転時の送風機動作設定として、熱交換換気モード時の場合、給気量が中の段階であって、２００ｍ３／ｈの換気量が規定されている。熱交換換気装置１１＿４は、強制換気運転時の送風機動作設定として、熱交換換気モード時の場合、排気量が中の段階であって、２００ｍ３／ｈの換気量が規定されている。熱交換換気装置１１＿４は、強制換気運転時の送風機動作設定として、普通換気モード時の場合、給気量が停止の段階であって、０ｍ３／ｈの換気量が規定されている。熱交換換気装置１１＿４は、強制換気運転時の送風機動作設定として、普通換気モード時の場合、排気量が強の段階であって、４００ｍ３／ｈの換気量が規定されている。
【００６９】
よって、普通換気モード時の気流の向きは、熱交換換気装置１１＿１から熱交換換気装置１１＿３であり、熱交換換気装置１１＿２から熱交換換気装置１１＿４であり、両者とも気流の大きさはほぼ同一である。
【００７０】
つまり、熱交換換気モード時の場合、熱交換換気装置１１＿１の給気量２００ｍ３／ｈと、熱交換換気装置１１＿２の給気量２００ｍ３／ｈと、熱交換換気装置１１＿３の給気量２００ｍ３／ｈと、熱交換換気装置１１＿４の給気量２００ｍ３／ｈとの合計で、必要換気量８００ｍ３／ｈに到達するように送風機動作設定が規定されている。同様に、熱交換換気装置１１＿１の排気量２００ｍ３／ｈと、熱交換換気装置１１＿２の排気量２００ｍ３／ｈと、熱交換換気装置１１＿３の排気量２００ｍ３／ｈと、熱交換換気装置１１＿４の排気量２００ｍ３／ｈとの合計で、必要換気量８００ｍ３／ｈに到達するように送風機動作設定が規定されている。
【００７１】
また、普通換気モード時の場合、熱交換換気装置１１＿１の給気量４００ｍ３／ｈと、熱交換換気装置１１＿２の給気量４００ｍ３／ｈと、熱交換換気装置１１＿３の給気量０ｍ３／ｈと、熱交換換気装置１１＿４の給気量０ｍ３／ｈとの合計で、必要換気量８００ｍ３／ｈに到達するように送風機動作設定が規定されている。同様に、熱交換換気装置１１＿１の排気量０ｍ３／ｈと、熱交換換気装置１１＿２の排気量０ｍ３／ｈと、熱交換換気装置１１＿３の排気量４００ｍ３／ｈと、熱交換換気装置１１＿４の排気量４００ｍ３／ｈとの合計で、必要換気量８００ｍ３／ｈに到達するように送風機動作設定が規定されている。
【００７２】
図６は、本発明の実施の形態１における換気対象空間５の必要換気量を６００ｍ３／ｈとした場合の給気用送風機２３及び排気用送風機２５の動作設定の一例を示す図である。
【００７３】
図６に示すように、熱交換換気装置１１＿１は、強制換気運転時の送風機動作設定として、熱交換換気モード時の場合、給気量が中の段階であって、２００ｍ３／ｈの換気量が規定されている。熱交換換気装置１１＿１は、強制換気運転時の送風機動作設定として、熱交換換気モード時の場合、排気量が中の段階であって、２００ｍ３／ｈの換気量が規定されている。熱交換換気装置１１＿１は、強制換気運転時の送風機動作設定として、普通換気モード時の場合、給気量が強の段階であって、４００ｍ３／ｈの換気量が規定されている。熱交換換気装置１１＿１は、強制換気運転時の送風機動作設定として、普通換気モード時の場合、排気量が停止の段階であって、０ｍ３／ｈの換気量が規定されている。
【００７４】
また、図６に示すように、熱交換換気装置１１＿２は、強制換気運転時の送風機動作設定として、熱交換換気モード時の場合、給気量が弱の段階であって、１００ｍ３／ｈの換気量が規定されている。熱交換換気装置１１＿２は、強制換気運転時の送風機動作設定として、熱交換換気モード時の場合、排気量が弱の段階であって、１００ｍ３／ｈの換気量が規定されている。熱交換換気装置１１＿２は、強制換気運転時の送風機動作設定として、普通換気モード時の場合、給気量が中の段階であって、２００ｍ３／ｈの換気量が規定されている。熱交換換気装置１１＿２は、強制換気運転時の送風機動作設定として、普通換気モード時の場合、排気量が停止の段階であって、０ｍ３／ｈの換気量が規定されている。
【００７５】
また、図６に示すように、熱交換換気装置１１＿３は、強制換気運転時の送風機動作設定として、熱交換換気モード時の場合、給気量が中の段階であって、２００ｍ３／ｈの換気量が規定されている。熱交換換気装置１１＿３は、強制換気運転時の送風機動作設定として、熱交換換気モード時の場合、排気量が中の段階であって、２００ｍ３／ｈの換気量が規定されている。熱交換換気装置１１＿３は、強制換気運転時の送風機動作設定として、普通換気モード時の場合、給気量が停止の段階であって、０ｍ３／ｈの換気量が規定されている。熱交換換気装置１１＿３は、強制換気運転時の送風機動作設定として、普通換気モード時の場合、排気量が強の段階であって、４００ｍ３／ｈの換気量が規定されている。
【００７６】
また、図６に示すように、熱交換換気装置１１＿４は、強制換気運転時の送風機動作設定として、熱交換換気モード時の場合、給気量が弱の段階であって、１００ｍ３／ｈの換気量が規定されている。熱交換換気装置１１＿４は、強制換気運転時の送風機動作設定として、熱交換換気モード時の場合、排気量が弱の段階であって、１００ｍ３／ｈの換気量が規定されている。熱交換換気装置１１＿４は、強制換気運転時の送風機動作設定として、普通換気モード時の場合、給気量が停止の段階であって、０ｍ３／ｈの換気量が規定されている。熱交換換気装置１１＿４は、強制換気運転時の送風機動作設定として、普通換気モード時の場合、排気量が中の段階であって、２００ｍ３／ｈの換気量が規定されている。
【００７７】
よって、普通換気モード時の気流の向きは、熱交換換気装置１１＿１から熱交換換気装置１１＿３であり、熱交換換気装置１１＿２から熱交換換気装置１１＿４であり、熱交換換気装置１１＿１から熱交換換気装置１１＿３の気流の大きさは、熱交換換気装置１１＿２から熱交換換気装置１１＿４の大きさと比べて大きくなっている。
【００７８】
つまり、熱交換換気モード時の場合、熱交換換気装置１１＿１の給気量２００ｍ３／ｈと、熱交換換気装置１１＿２の給気量１００ｍ３／ｈと、熱交換換気装置１１＿３の給気量２００ｍ３／ｈと、熱交換換気装置１１＿４の給気量１００ｍ３／ｈとの合計で、必要換気量６００ｍ３／ｈに到達するように送風機動作設定が規定されている。同様に、熱交換換気装置１１＿１の排気量２００ｍ３／ｈと、熱交換換気装置１１＿２の排気量１００ｍ３／ｈと、熱交換換気装置１１＿３の排気量２００ｍ３／ｈと、熱交換換気装置１１＿４の排気量１００ｍ３／ｈとの合計で、必要換気量６００ｍ３／ｈに到達するように送風機動作設定が規定されている。
【００７９】
また、普通換気モード時の場合、熱交換換気装置１１＿１の給気量４００ｍ３／ｈと、熱交換換気装置１１＿２の給気量２００ｍ３／ｈと、熱交換換気装置１１＿３の給気量０ｍ３／ｈと、熱交換換気装置１１＿４の給気量０ｍ３／ｈとの合計で、必要換気量６００ｍ３／ｈに到達するように送風機動作設定が規定されている。同様に、熱交換換気装置１１＿１の排気量０ｍ３／ｈと、熱交換換気装置１１＿２の排気量０ｍ３／ｈと、熱交換換気装置１１＿３の排気量４００ｍ３／ｈと、熱交換換気装置１１＿４の排気量２００ｍ３／ｈとの合計で、必要換気量６００ｍ３／ｈに到達するように送風機動作設定が規定されている。
【００８０】
図７は、本発明の実施の形態１における換気対象空間５の必要換気量を４００ｍ３／ｈとした場合の給気用送風機２３及び排気用送風機２５の動作設定の一例を示す図である。
【００８１】
図７に示すように、熱交換換気装置１１＿１は、強制換気運転時の送風機動作設定として、熱交換換気モード時の場合、給気量が弱の段階であって、１００ｍ３／ｈの換気量が規定されている。熱交換換気装置１１＿１は、強制換気運転時の送風機動作設定として、熱交換換気モード時の場合、排気量が弱の段階であって、１００ｍ３／ｈの換気量が規定されている。熱交換換気装置１１＿１は、強制換気運転時の送風機動作設定として、普通換気モード時の場合、給気量が中の段階であって、２００ｍ３／ｈの換気量が規定されている。熱交換換気装置１１＿１は、強制換気運転時の送風機動作設定として、普通換気モード時の場合、排気量が停止の段階であって、０ｍ３／ｈの換気量が規定されている。
【００８２】
また、図７に示すように、熱交換換気装置１１＿２は、強制換気運転時の送風機動作設定として、熱交換換気モード時の場合、給気量が弱の段階であって、１００ｍ３／ｈの換気量が規定されている。熱交換換気装置１１＿２は、強制換気運転時の送風機動作設定として、熱交換換気モード時の場合、排気量が弱の段階であって、１００ｍ３／ｈの換気量が規定されている。熱交換換気装置１１＿２は、強制換気運転時の送風機動作設定として、普通換気モード時の場合、給気量が中の段階であって、２００ｍ３／ｈの換気量が規定されている。熱交換換気装置１１＿２は、強制換気運転時の送風機動作設定として、普通換気モード時の場合、排気量が停止の段階であって、０ｍ３／ｈの換気量が規定されている。
【００８３】
また、図７に示すように、熱交換換気装置１１＿３は、強制換気運転時の送風機動作設定として、熱交換換気モード時の場合、給気量が弱の段階であって、１００ｍ３／ｈの換気量が規定されている。熱交換換気装置１１＿３は、強制換気運転時の送風機動作設定として、熱交換換気モード時の場合、排気量が弱の段階であって、１００ｍ３／ｈの換気量が規定されている。熱交換換気装置１１＿３は、強制換気運転時の送風機動作設定として、普通換気モード時の場合、給気量が停止の段階であって、０ｍ３／ｈの換気量が規定されている。熱交換換気装置１１＿３は、強制換気運転時の送風機動作設定として、普通換気モード時の場合、排気量が中の段階であって、２００ｍ３／ｈの換気量が規定されている。
【００８４】
また、図７に示すように、熱交換換気装置１１＿４は、強制換気運転時の送風機動作設定として、熱交換換気モード時の場合、給気量が弱の段階であって、１００ｍ３／ｈの換気量が規定されている。熱交換換気装置１１＿４は、強制換気運転時の送風機動作設定として、熱交換換気モード時の場合、排気量が弱の段階であって、１００ｍ３／ｈの換気量が規定されている。熱交換換気装置１１＿４は、強制換気運転時の送風機動作設定として、普通換気モード時の場合、給気量が停止の段階であって、０ｍ３／ｈの換気量が規定されている。熱交換換気装置１１＿４は、強制換気運転時の送風機動作設定として、普通換気モード時の場合、排気量が中の段階であって、２００ｍ３／ｈの換気量が規定されている。
【００８５】
よって、普通換気モード時の気流の向きは、熱交換換気装置１１＿１から熱交換換気装置１１＿３であり、熱交換換気装置１１＿２から熱交換換気装置１１＿４であり、両者とも気流の大きさはほぼ同一である。
【００８６】
つまり、熱交換換気モード時の場合、熱交換換気装置１１＿１の給気量１００ｍ３／ｈと、熱交換換気装置１１＿２の給気量１００ｍ３／ｈと、熱交換換気装置１１＿３の給気量１００ｍ３／ｈと、熱交換換気装置１１＿４の給気量１００ｍ３／ｈとの合計で、必要換気量４００ｍ３／ｈに到達するように送風機動作設定が規定されている。同様に、熱交換換気装置１１＿１の排気量１００ｍ３／ｈと、熱交換換気装置１１＿２の排気量１００ｍ３／ｈと、熱交換換気装置１１＿３の排気量１００ｍ３／ｈと、熱交換換気装置１１＿４の排気量１００ｍ３／ｈとの合計で、必要換気量４００ｍ３／ｈに到達するように送風機動作設定が規定されている。
【００８７】
また、普通換気モード時の場合、熱交換換気装置１１＿１の給気量２００ｍ３／ｈと、熱交換換気装置１１＿２の給気量２００ｍ３／ｈと、熱交換換気装置１１＿３の給気量０ｍ３／ｈと、熱交換換気装置１１＿４の給気量０ｍ３／ｈとの合計で、必要換気量４００ｍ３／ｈに到達するように送風機動作設定が規定されている。同様に、熱交換換気装置１１＿１の排気量０ｍ３／ｈと、熱交換換気装置１１＿２の排気量０ｍ３／ｈと、熱交換換気装置１１＿３の排気量２００ｍ３／ｈと、熱交換換気装置１１＿４の排気量２００ｍ３／ｈとの合計で、必要換気量４００ｍ３／ｈに到達するように送風機動作設定が規定されている。
【００８８】
よって、システム全体で必要換気量を満たすように送風機動作設定が規定されている。つまり、各熱交換換気装置１１が分担する分担換気量が設定されている。また、普通換気モード時においては、給気用送風機２３及び排気用送風機２５の何れか一方のみが駆動するように規定されているため、各熱交換器２１で熱交換が行われない。すなわち、普通換気モード時においては、各熱交換器２１でエンタルピ交換がなされることはない。よって、風路切替手段なしで各熱交換器２１のエンタルピ交換をするか否かを制御できるため、装置コストを低減させることができる。
【００８９】
なお、上述した図５〜図７の各種設定例は、例えば、駆動制御装置６１の不揮発性メモリ１０７に予め設定されている。これらの各種設定値は換気システム１の運用開始時に設定されていればよい。
【００９０】
また、上記で説明したように、普通換気モードでは、換気対象空間５にある一定の気流の流れが生じるため、居室内の温度ムラ等を解消することができる。
【００９１】
図８は、本発明の実施の形態１における駆動制御装置６１の制御例を説明するフローチャートである。なお、設定温度Ｔｓｅｔは、例えば、１９℃に設定されていると想定する。また、下記で説明するフローチャートは、地球の北半球側に位置し、温暖湿潤気候で四季の変化が明瞭な日本国で実行される一例であって、気候が日本国と異なる地域であれば、適宜、各種条件は変更される。
【００９２】
ステップＳ５１において、駆動制御装置６１は、室外温度センサ３７の検出温度Ｔ１を取得する。なお、検出温度Ｔ１は、屋外の室外温度とほぼ同じ温度である。
【００９３】
ステップＳ５２において、駆動制御装置６１は、室内温度センサ３３の検出温度Ｔ２を取得する。なお、検出温度Ｔ２は、居室内の室内温度とほぼ同じ温度である。
【００９４】
ステップＳ５３において、駆動制御装置６１は、設定温度Ｔｓｅｔを取得する。
【００９５】
ステップＳ５４において、駆動制御装置６１は、検出温度Ｔ１が設定温度Ｔｓｅｔ以上であるか否かを判定する。駆動制御装置６１は、検出温度Ｔ１が設定温度Ｔｓｅｔ以上である場合、ステップＳ５５に進む。駆動制御装置６１は、検出温度Ｔ１が設定温度Ｔｓｅｔ未満である場合、ステップＳ５８に進む。なお、検出温度Ｔ１と、設定温度Ｔｓｅｔとの比較処理は、屋外の気候状況を判定する処理である。つまり、駆動制御装置６１は、検出温度Ｔ１が設定温度Ｔｓｅｔ以上の場合には、屋外の気候状況が夏期であると判定し、検出温度Ｔ１が設定温度Ｔｓｅｔ未満の場合には、屋外の気候状況が冬期であると判定する。
【００９６】
ステップＳ５５において、駆動制御装置６１は、検出温度Ｔ１が検出温度Ｔ２未満であるか否かを判定する。駆動制御装置６１は、検出温度Ｔ１が検出温度Ｔ２未満である場合、ステップＳ５６に進む。一方、駆動制御装置６１は、検出温度Ｔ１が検出温度Ｔ２以上である場合、ステップＳ５７に進む。なお、検出温度Ｔ１と、検出温度Ｔ２との比較処理は、屋外の室外温度（Ｔ１）と、居室内の室内温度（Ｔ２）との比較処理に相当する。
【００９７】
ステップＳ５６において、駆動制御装置６１は、普通換気モード時の設定で給気用送風機２３と排気用送風機２５とを制御する。つまり、駆動制御装置６１は、夏期であって、屋外の室外温度（Ｔ１）が居室内の室内温度（Ｔ２）と比べて低い場合、屋外の室外温度（Ｔ１）を、熱交換器２１を通して上昇させることなく居室内に吹き出させる制御を行う。よって、駆動制御装置６１は、普通換気モードで動作を行い、熱交換器２１でエンタルピの交換が成されずに居室内に屋外の空気を吹き出させている。
【００９８】
なお、普通換気モード時の設定は、例えば、図５〜図７を用いて上述したように、給気用送風機２３及び排気用送風機２５の何れか一方のみを駆動させ、システム全体としては、少なくとも１台の給気用送風機２３が駆動し、少なくとも１台の排気用送風機２５が駆動している状態である。よって、換気対象空間５の必要換気量が保持されつつ、換気対象空間５の換気が常時行われている。
【００９９】
ステップＳ５７において、駆動制御装置６１は、熱交換換気モード時の設定で給気用送風機２３と排気用送風機２５とを制御する。つまり、駆動制御装置６１は、夏期であって、屋外の室外温度（Ｔ１）が居室内の室内温度（Ｔ２）と比べて高い場合、屋外の室外温度（Ｔ１）を、熱交換器２１を通して下降させてから居室内に吹き出させる制御を行う。
【０１００】
なお、熱交換換気モード時の設定は、例えば、図５〜図７を用いて上述したように、給気用送風機２３及び排気用送風機２５の両方を駆動させ、システム全体としては、換気対象空間５の必要換気量が保持されつつ、換気対象空間５の換気が常時行われている。
【０１０１】
ステップＳ５８において、駆動制御装置６１は、検出温度Ｔ１が検出温度Ｔ２以上であるか否かを判定する。駆動制御装置６１は、検出温度Ｔ１が検出温度Ｔ２以上である場合、ステップＳ５９に進む。一方、駆動制御装置６１は、検出温度Ｔ１が検出温度Ｔ２未満である場合、ステップＳ６０に進む。
【０１０２】
ステップＳ５９において、駆動制御装置６１は、普通換気モード時の設定で給気用送風機２３と排気用送風機２５とを制御する。つまり、駆動制御装置６１は、冬期であって、屋外の室外温度（Ｔ１）が居室内の室内温度（Ｔ２）以上の場合、屋外の室外温度（Ｔ１）を、熱交換器２１を通して下降させることなく居室内に吹き出させる制御を行う。よって、駆動制御装置６１は、普通換気モードで動作を行い、熱交換器２１でエンタルピの交換が成されずに居室内に屋外の空気を吹き出させている。
【０１０３】
なお、普通換気モード時の設定は、例えば、図５〜図７を用いて上述したように、給気用送風機２３及び排気用送風機２５の何れか一方のみを駆動させ、システム全体としては、少なくとも１台の給気用送風機２３が駆動し、少なくとも１台の排気用送風機２５が駆動している状態である。よって、換気対象空間５の必要換気量が保持されつつ、換気対象空間５の換気が常時行われている。
【０１０４】
ステップＳ６０において、駆動制御装置６１は、熱交換換気モード時の設定で給気用送風機２３と排気用送風機２５とを制御する。つまり、駆動制御装置６１は、冬期であって、屋外の室外温度（Ｔ１）が居室内の室内温度（Ｔ２）未満の場合、屋外の室外温度（Ｔ１）を、熱交換器２１を通して上昇させてから居室内に吹き出させる制御を行う。よって、駆動制御装置６１は、熱交換換気モードで動作を行い、熱交換器２１でエンタルピの交換がなされてから居室内に屋外の空気を吹き出させている。
【０１０５】
なお、熱交換換気モード時の設定は、例えば、図５〜図７を用いて上述したように、給気用送風機２３及び排気用送風機２５の両方を駆動させ、システム全体としては、換気対象空間５の必要換気量が保持されつつ、換気対象空間５の換気が常時行われている。
【０１０６】
よって、強制換気運転において、屋外の温度（Ｔ１）と、居室内の温度（Ｔ２）とに基づいて、同一の換気対象空間５に配置される複数の熱交換換気装置１１のそれぞれは、熱交換換気モードと、普通換気モードとを切り替え、給気用送風機２３の駆動と、排気用送風機２５の駆動とを、システム全体で必要換気量に到達するように協調制御する。
【０１０７】
したがって、少なくとも２台、つまり、複数の熱交換換気装置１１から構成される換気システム１は、居室内の換気を停止することなく、居室内に供給される空気の温度を制御することができる。この結果、給気用送風機２３のファン本体の駆動を制御する駆動用のリレーのスイッチング回数と、排気用送風機２５のファン本体の駆動を制御する駆動用のリレーのスイッチング回数とを、間欠運転時に比べ、大幅に抑制させることができるため、そのような駆動用のリレーを搭載している駆動制御装置６１の寿命を延ばすことができる。
【０１０８】
また、間欠運転の回数が大幅に抑制されるため、給気用送風機２３及び排気用送風機２５の駆動と停止との繰り返し回数が大幅に抑制される。よって、給気用送風機２３及び排気用送風機２５の駆動と停止との繰り返しで発する音の回数が大幅に抑制され、居室内の在室者が感じる違和感を解消させることができる。
【０１０９】
なお、本実施の形態１の動作を行うプログラムを記述するステップは、記載された順序に沿って時系列的に行われる処理は、必ずしも時系列的に処理されなくとも、並列的又は個別に実行される処理をも含む。
【０１１０】
以上、本実施の形態１において、同一の換気対象となる換気対象空間５に、複数の熱交換換気装置１１が設けられる換気システム１であって、複数の熱交換換気装置１１のうち、少なくとも２台の熱交換換気装置１１のそれぞれは、換気対象空間５に給気する送風機である給気用送風機２３と、換気対象空間５の外部へ排気する送風機である排気用送風機２５と、外部から換気対象空間５へ室外空気を導く給気風路５１と、換気対象空間５から外部へ室内空気を導く排気風路５３と、給気風路５１と、排気風路５３とが交差する箇所に設けられ、室外空気と、室内空気とを熱交換させる熱交換器２１と、給気用送風機２３及び排気用送風機２５を制御する駆動制御装置６１と、を備え、換気対象空間５に対応し、必要な換気量である必要換気量が設定され、必要換気量に基づいて、少なくとも２台の熱交換換気装置１１のそれぞれが分担して換気する分担換気量がそれぞれ設定され、駆動制御装置６１は、分担換気量に基づいて、少なくとも１台の熱交換換気装置１１の給気用送風機２３を駆動させ、少なくとも他の１台の熱交換換気装置１１の排気用送風機２５を駆動させる換気システム１が構成される。
【０１１１】
上記構成のため、システム全体の電力消費量を低減させつつ、そのシステムを長期間使用し続け、換気対象空間５を快適な状態に保つことができる。
【０１１２】
また、本実施の形態１において、駆動制御装置６１は、室外空気を室内空気と熱交換せずに換気対象空間５へ導く普通換気モードであって、給気用送風機２３を駆動させた場合、排気用送風機２５を停止させ、排気用送風機２５を駆動させた場合、給気用送風機２３を停止させるものである。
【０１１３】
また、本実施の形態１において、駆動制御装置６１は、室外温度が予め設定された設定温度以上であり、室外温度が室内温度未満の場合、普通換気モードで動作させ、室外温度が設定温度以上であり、室外温度が室内温度以上の場合、熱交換換気モードとして、給気用送風機２３及び排気用送風機２５の両方を駆動させ、室外温度が設定温度未満であり、室外温度が室内温度以上の場合、普通換気モードで動作させ、室外温度が設定温度未満であり、室外温度が室内温度未満の場合、熱交換換気モードで動作させるものである。
【０１１４】
上記構成のため、換気対象空間５に対する空調負荷が低減されるため、システム全体の電力消費量を特に顕著に低減させることができる。
【０１１５】
実施の形態２．
実施の形態１との相違点は、上述した図５〜図７に示す各種設定値が、リモートコントローラー６３から駆動制御装置６１に送信されることで設定される点である。
【０１１６】
なお、本実施の形態２において、特に記述しない項目については実施の形態１と同様とし、同一の機能や構成については同一の符号を用いて述べることとする。また、実施の形態１と同一の機能や構成についての説明は省略する。
【０１１７】
図９は、本発明の実施の形態２における駆動制御装置６１の制御例を説明するフローチャートである。
【０１１８】
ステップＳ７１において、駆動制御装置６１は、必要換気量の設定信号が入力されたか否かを判定する。駆動制御装置６１は、必要換気量の設定信号が入力された場合、ステップＳ７２に進む。一方、駆動制御装置６１は、必要換気量の設定信号が入力されない場合、ステップＳ７１に戻る。例えば、駆動制御装置６１は、リモートコントローラー６３から必要換気量の設定信号が入力されたか否かを判定する。ここでいう必要換気量の設定信号とは、上述した図５〜図７に示す各種設定値のことである。
【０１１９】
ステップＳ７２において、駆動制御装置６１は、該当する必要換気量の送風機動作設定に関する情報を読み出す。例えば、駆動制御装置６１は、入力された必要換気量の設定信号を解読した結果、自機に対応した設定値があれば、その設定値に関する情報を読み出す。
【０１２０】
ステップＳ７３において、駆動制御装置６１は、読み出した送風機動作設定に関する情報に基づいて制御信号を送信し、処理を終了する。例えば、駆動制御装置６１は、自機に対応した設定値を読み出した場合、その設定値を制御信号に変換し、該当する給気用送風機２３又は排気用送風機２５に送信する。
【０１２１】
以上、本実施の形態２において、少なくとも２台の熱交換換気装置１１のそれぞれは、駆動制御装置６１と各種信号を送受信するリモートコントローラー６３をさらに備え、リモートコントローラー６３は、換気対象空間５に対応した換気量の設定信号を駆動制御装置６１に送信し、駆動制御装置６１は、換気量の設定信号を受信した場合、換気量の設定信号に対応した動作設定に関する情報に基づいて、給気用送風機２３及び排気用送風機２５を制御するものである。
【０１２２】
上記構成のため、駆動制御装置６１に予め換気量が設定されていなかったとしても、リモートコントローラー６３から駆動制御装置６１の換気量の設定ができるため、システム運用前の事前設定等が不要となる。
【０１２３】
実施の形態３．
実施の形態１及び実施の形態２との相違点は、任意換気運転中であっても、必要換気量の設定に基づいて普通換気モード時の制御を行うことができる点である。
【０１２４】
なお、本実施の形態３において、特に記述しない項目については実施の形態１及び実施の形態２と同様とし、同一の機能や構成については同一の符号を用いて述べることとする。また、実施の形態１及び実施の形態２と同一の機能や構成についての説明は省略する。
【０１２５】
図１０は、本発明の実施の形態３における駆動制御装置６１の制御例を説明するフローチャートである。
【０１２６】
ステップＳ８１において、駆動制御装置６１は、任意換気運転中であるか否かを判定する。駆動制御装置６１は、任意換気運転中である場合、ステップＳ８２に進む。駆動制御装置６１は、任意換気運転中でない場合、ステップＳ８１に戻る。
【０１２７】
ステップＳ８２において、駆動制御装置６１は、必要換気量が設定されているか否かを判定する。駆動制御装置６１は、必要換気量が設定されている場合、ステップＳ８２に進む。一方、駆動制御装置６１は、必要換気量が設定されていない場合、処理を終了する。
【０１２８】
ステップＳ８３において、駆動制御装置６１は、該当する必要換気量の送風機動作設定に関する情報を読み出す。
【０１２９】
ステップＳ８４において、駆動制御装置６１は、読み出した必要換気量の送風機動作設定の普通換気モード時に対応した制御を行い、処理を終了する。
【０１３０】
以上、本実施の形態３において、駆動制御装置６１は、任意に換気を行う任意換気モードであって、分担換気量が設定され、普通換気モードである場合、給気用送風機２３及び排気用送風機２５の何れか一方を駆動させるものである。
【０１３１】
上記構成のため、エンタルピ交換をしないで換気を行うことができることで熱交換換気と普通換気とを切り替える風路切替手段、すなわち、ダンパが不要となってコストを低減させることができ、換気対象空間５にも一定の気流ができるため、換気対象空間５の温度ムラ等も解消させることができる。
【０１３２】
実施の形態４．
実施の形態１〜実施の形態３との相違点は、同一の換気対象空間５において、実際に稼働している給気用送風機２３に対応した屋外の室外温度（Ｔ１）を採用し、実際に稼働している排気用送風機２５に対応した居室内の室内温度（Ｔ２）を採用する点である。
【０１３３】
なお、本実施の形態４において、特に記述しない項目については実施の形態１〜実施の形態３と同様とし、同一の機能や構成については同一の符号を用いて述べることとする。また、実施の形態１〜実施の形態３と同一の機能や構成についての説明は省略する。
【０１３４】
図１１は、本発明の実施の形態４におけるリモートコントローラー６３の制御例を説明するフローチャートである。
【０１３５】
ステップＳ９１において、リモートコントローラー６３は、自機が同一ネットワーク内で通信可能な熱交換換気装置１１から各種情報を収集するリモートコントローラー６３として設定されているか否かを判定する。リモートコントローラー６３は、自機が同一ネットワーク内で通信可能な熱交換換気装置１１から各種情報を収集するリモートコントローラー６３として設定されている場合、ステップＳ９２に進む。一方、リモートコントローラー６３は、自機が同一ネットワーク内で通信可能な熱交換換気装置１１から各種情報を収集するリモートコントローラー６３として設定されていない場合、ステップＳ９１に戻る。
【０１３６】
ステップＳ９２において、リモートコントローラー６３は、同一ネットワーク内で通信可能な熱交換換気装置１１に室外温度センサ３７の検出温度Ｔ１を収集する。
【０１３７】
ステップＳ９３において、リモートコントローラー６３は、同一ネットワーク内で通信可能な熱交換換気装置１１に室内温度センサ３３の検出温度Ｔ２を収集する。
【０１３８】
ステップＳ９４において、リモートコントローラー６３は、同一ネットワーク内で通信可能な熱交換換気装置１１に給気用送風機２３の動作状態を収集する。
【０１３９】
ステップＳ９５において、リモートコントローラー６３は、同一ネットワーク内で通信可能な熱交換換気装置１１に排気用送風機２５の動作状態を収集する。
【０１４０】
ステップＳ９６において、リモートコントローラー６３は、収集した室外温度センサ３７の検出温度Ｔ１のうち動作中の給気用送風機２３に対応しているものがあるか否かを判定する。リモートコントローラー６３は、収集した室外温度センサ３７の検出温度Ｔ１のうち動作中の給気用送風機２３に対応しているものがある場合、ステップＳ９７に進む。一方、リモートコントローラー６３は、収集した室外温度センサ３７の検出温度Ｔ１のうち動作中の給気用送風機２３に対応しているものがない場合、ステップＳ９９に進む。
【０１４１】
ステップＳ９７において、リモートコントローラー６３は、動作中の給気用送風機２３に対応している室外温度の検出温度Ｔ１が複数存在するか否かを判定する。リモートコントローラー６３は、動作中の給気用送風機２３に対応している室外温度の検出温度Ｔ１が複数存在する場合、ステップＳ９９に進む。一方、リモートコントローラー６３は、動作中の給気用送風機２３に対応している室外温度の検出温度Ｔ１が複数存在しない場合、ステップＳ９８に進む。
【０１４２】
ステップＳ９８において、リモートコントローラー６３は、対応しているものを演算に用いる室外温度センサ３７の検出温度Ｔ１に決定する。
【０１４３】
ステップＳ９９において、リモートコントローラー６３は、予め定めたルールに基づいて演算に用いる室外温度センサ３７の検出温度Ｔ１を決定する。例えば、リモートコントローラー６３は、収集した室外温度センサ３７の検出温度Ｔ１のうち動作中の給気用送風機２３に対応しているものがない場合、室外温度センサ３７の検出結果として用いると規定しておいたものを採用する。また、例えば、リモートコントローラー６３は、動作中の給気用送風機２３に対応している室外温度の検出温度Ｔ１が複数存在する場合、夏期であれば、最も高い検出温度Ｔ１を採用したり、冬期であれば、最も低い検出温度Ｔ１を採用したりすればよく、特にこれらのルールに限定しない。一定のアルゴリズムに従って、必ず解が探索可能であればよい。
【０１４４】
ステップＳ１００において、リモートコントローラー６３は、収集した室内温度センサ３３の検出温度Ｔ２のうち動作中の排気用送風機２５に対応しているものがあるか否かを判定する。リモートコントローラー６３は、収集した室内温度センサ３３の検出温度Ｔ２のうち動作中の排気用送風機２５に対応しているものがある場合、ステップＳ１０１に進む。一方、リモートコントローラー６３は、収集した室内温度センサ３３の検出温度Ｔ２のうち動作中の排気用送風機２５に対応しているものがない場合、ステップＳ１０３に進む。
【０１４５】
ステップＳ１０１において、リモートコントローラー６３は、動作中の排気用送風機２５に対応している室内温度の検出温度Ｔ２が複数存在するか否かを判定する。リモートコントローラー６３は、動作中の排気用送風機２５に対応している室内温度の検出温度Ｔ２が複数存在する場合、ステップＳ１０３に進む。一方、リモートコントローラー６３は、動作中の排気用送風機２５に対応している室内温度の検出温度Ｔ２が複数存在しない場合、ステップＳ１０２に進む。
【０１４６】
ステップＳ１０２において、リモートコントローラー６３は、対応しているものを演算に用いる室内温度センサ３３の検出温度Ｔ２に決定し、処理を終了する。
【０１４７】
ステップＳ１０３において、リモートコントローラー６３は、予め定めたルールに基づいて演算に用いる室内温度センサ３３の検出温度Ｔ２を決定し、処理を終了する。例えば、リモートコントローラー６３は、収集した室内温度センサ３３の検出温度Ｔ２のうち動作中の排気用送風機２５に対応しているものがない場合、室内温度センサ３３の検出結果として用いると規定しておいたものを採用する。また、例えば、リモートコントローラー６３は、動作中の排気用送風機２５に対応している室内温度の検出温度Ｔ２が複数存在する場合、夏期であれば、最も高い検出温度Ｔ２を採用したり、冬期であれば、最も低い検出温度Ｔ２を採用したりすればよく、特にこれらのルールに限定しない。一定のアルゴリズムに従って、必ず解が探索可能であればよい。
【０１４８】
以上、本実施の形態４において、リモートコントローラー６３は、リモートコントローラー６３と対で設けられている熱交換換気装置１１である自機以外であって、換気対象空間５に存在する少なくとも１台の別の熱交換換気装置１１と通信し、自機以外の、室外温度、室内温度、給気用送風機２３の動作状態、及び排気用送風機２５の動作状態を収集し、給気用送風機２３の動作状態に基づいて特定された動作中の給気用送風機２３に対応した室外温度を演算用室外温度に決定し、排気用送風機２５の動作状態に基づいて特定された動作中の排気用送風機２５に対応した室内温度を演算用室内温度に決定するものである。
【０１４９】
上記構成のため、室外温度と室内温度とをさらに正確に検出できる。そして、各熱交換換気装置１１が同一の温度データに基づいた処理を実行することで、システム全体で整合のとれた動作が実行される。つまり、同一の換気対象空間５に設けられた複数の熱交換換気装置１１において、熱交換換気モードと、普通換気モードとが不一致となることを防止することができる。
【０１５０】
実施の形態５．
実施の形態１〜実施の形態４との相違点は、リモートコントローラー６３から駆動制御装置６１に直接指令を出すことで、給気用送風機２３のファン本体の風量の段階及び排気用送風機２５のファン本体の風量の段階を設定し、制御する点である。
【０１５１】
なお、本実施の形態５において、特に記述しない項目については実施の形態１〜実施の形態４と同様とし、同一の機能や構成については同一の符号を用いて述べることとする。また、実施の形態１〜実施の形態４と同一の機能や構成についてはその説明を省略する。
【０１５２】
図１２は、本発明の実施の形態５におけるリモートコントローラー６３の制御例を説明するフローチャートである。なお、図１２において、ステップＳ１２１〜ステップＳ１２４については、上述した処理と同様であるため、その説明については省略する。
【０１５３】
ステップＳ１２５において、リモートコントローラー６３は、検出温度Ｔ１が検出温度Ｔ２未満の場合、ステップＳ１２６に進む。一方、リモートコントローラー６３は、検出温度Ｔ１が検出温度Ｔ２以上の場合、ステップＳ１２７に進む。
【０１５４】
ステップＳ１２６において、リモートコントローラー６３は、普通換気モード時の回転速度設定信号を該当する熱交換換気装置１１に送信し、処理を終了する。
【０１５５】
ステップＳ１２７において、リモートコントローラー６３は、熱交換換気モード時の回転速度設定信号を該当する熱交換換気装置１１に送信し、処理を終了する。
【０１５６】
ステップＳ１２８において、リモートコントローラー６３は、検出温度Ｔ１が検出温度Ｔ２以上である場合、ステップＳ１２９に進む。一方、リモートコントローラー６３は、検出温度Ｔ１が検出温度Ｔ２未満である場合、ステップＳ１３０に進む。
【０１５７】
ステップＳ１２９において、リモートコントローラー６３は、普通換気モード時の回転速度設定信号を該当する熱交換換気装置１１に送信し、処理を終了する。
【０１５８】
ステップＳ１３０において、リモートコントローラー６３は、熱交換換気モード時の回転速度設定信号を該当する熱交換換気装置１１に送信し、処理を終了する。
【０１５９】
以上、本実施の形態５において、リモートコントローラー６３は、駆動制御装置６１に分担換気量が設定されていない場合、普通換気モードに対応した給気用送風機２３若しくは排気用送風機２５の回転速度を設定する信号である回転速度設定信号を駆動制御装置６１に送信し、又は、熱交換換気モードに対応した給気用送風機２３及び排気用送風機２５の回転速度設定信号を駆動制御装置６１に送信するものである。
【０１６０】
上記構成のため、駆動制御装置６１に給気用送風機２３及び排気用送風機２５の設定を行う必要がなくなるため、熱交換換気装置１１の初期設定の手間を省略することができる。
【０１６１】
実施の形態６．
実施の形態１〜実施の形態５との相違点は、普通換気モード時において、各熱交換換気装置１１内で、給気用送風機２３及び排気用送風機２５の何れか一方のみが駆動しなくてもよい点である。
【０１６２】
なお、本実施の形態６において、特に記述しない項目については実施の形態１〜実施の形態５と同様とし、同一の機能や構成については同一の符号を用いて述べることとする。また、実施の形態１〜実施の形態５と同一の機能や構成についてはその説明を省略する。
【０１６３】
図１３は、本発明の実施の形態６における駆動制御装置６１の制御例を説明するフローチャートである。図１４は、本発明の実施の形態６における換気対象空間５の必要換気量を１２００ｍ３／ｈとした場合の給気用送風機２３及び排気用送風機２５の動作設定の一例を示す図である。
【０１６４】
なお、以降で図１３を用いて説明するフローチャートにおいては、例えば、リモートコントローラー６３から駆動制御装置６１に各種設定値を変更する指令が供給された場合等を想定している。
【０１６５】
具体的には、図１４に示すように、必要換気量は１２００ｍ３／ｈであって、換気システム１全体で、必要換気量を満たすように、各熱交換換気装置１１に分担換気量がそれぞれ対応して設定されているが、別の値に分担換気量が再設定された場合には、分担換気量の合計値が必要換気量を満たすように設定を変更する必要が生じる場合ある。
【０１６６】
より具体的には、駆動制御装置６１は、給気量の合計値が必要換気量と比べて大きい場合には給気量の合計値を必要換気量に下げ、給気量の合計値が必要換気量に等しい場合には現在の給気量を維持し、給気量の合計値が必要換気量と比べて小さい場合には給気量の合計値を必要換気量に上げる動作を行う。
【０１６７】
以下、分担換気量の設定例を図１４を用いて説明した後、その動作の詳細例について図１３を用いて説明する。なお、排気量の合計値と必要換気量との比較においても、給気量と同様の動作が必要となる場合があるため、図１３の動作例においてはその点も踏まえて説明する。
【０１６８】
図１４に示すように、熱交換換気装置１１＿１は、強制換気運転時の送風機動作設定として、熱交換換気モード時の場合、給気量が強の段階であって、４００ｍ３／ｈの換気量が規定されている。熱交換換気装置１１＿１は、強制換気運転時の送風機動作設定として、熱交換換気モード時の場合、排気量が強の段階であって、４００ｍ３／ｈの換気量が規定されている。熱交換換気装置１１＿１は、強制換気運転時の送風機動作設定として、普通換気モード時の場合、給気量が強の段階であって、４００ｍ３／ｈの換気量が規定されている。熱交換換気装置１１＿１は、強制換気運転時の送風機動作設定として、普通換気モード時の場合、排気量が強の段階であって、４００ｍ３／ｈの換気量が規定されている。
【０１６９】
また、図１４に示すように、熱交換換気装置１１＿２は、強制換気運転時の送風機動作設定として、熱交換換気モード時の場合、給気量が中の段階であって、２００ｍ３／ｈの換気量が規定されている。熱交換換気装置１１＿２は、強制換気運転時の送風機動作設定として、熱交換換気モード時の場合、排気量が中の段階であって、２００ｍ３／ｈの換気量が規定されている。熱交換換気装置１１＿２は、強制換気運転時の送風機動作設定として、普通換気モード時の場合、給気量が強の段階であって、４００ｍ３／ｈの換気量が規定されている。熱交換換気装置１１＿２は、強制換気運転時の送風機動作設定として、普通換気モード時の場合、排気量が停止の段階であって、０ｍ３／ｈの換気量が規定されている。
【０１７０】
また、図１４に示すように、熱交換換気装置１１＿３は、強制換気運転時の送風機動作設定として、熱交換換気モード時の場合、給気量が中の段階であって、２００ｍ３／ｈの換気量が規定されている。熱交換換気装置１１＿３は、強制換気運転時の送風機動作設定として、熱交換換気モード時の場合、排気量が中の段階であって、２００ｍ３／ｈの換気量が規定されている。熱交換換気装置１１＿３は、強制換気運転時の送風機動作設定として、普通換気モード時の場合、給気量が停止の段階であって、０ｍ３／ｈの換気量が規定されている。熱交換換気装置１１＿３は、強制換気運転時の送風機動作設定として、普通換気モード時の場合、排気量が強の段階であって、４００ｍ３／ｈの換気量が規定されている。
【０１７１】
また、図１４に示すように、熱交換換気装置１１＿４は、強制換気運転時の送風機動作設定として、熱交換換気モード時の場合、給気量が強の段階であって、４００ｍ３／ｈの換気量が規定されている。熱交換換気装置１１＿４は、強制換気運転時の送風機動作設定として、熱交換換気モード時の場合、排気量が強の段階であって、４００ｍ３／ｈの換気量が規定されている。熱交換換気装置１１＿４は、強制換気運転時の送風機動作設定として、普通換気モード時の場合、給気量が強の段階であって、４００ｍ３／ｈの換気量が規定されている。熱交換換気装置１１＿４は、強制換気運転時の送風機動作設定として、普通換気モード時の場合、排気量が強の段階であって、４００ｍ３／ｈの換気量が規定されている。
【０１７２】
よって、普通換気モード時の気流の向きは、熱交換換気装置１１＿２から熱交換換気装置１１＿３である。
【０１７３】
つまり、熱交換換気モード時の場合、熱交換換気装置１１＿１の給気量４００ｍ３／ｈと、熱交換換気装置１１＿２の給気量２００ｍ３／ｈと、熱交換換気装置１１＿３の給気量２００ｍ３／ｈと、熱交換換気装置１１＿４の給気量４００ｍ３／ｈとの合計で、必要換気量１２００ｍ３／ｈに到達するように送風機動作設定が規定されている。同様に、熱交換換気装置１１＿１の排気量４００ｍ３／ｈと、熱交換換気装置１１＿２の排気量２００ｍ３／ｈと、熱交換換気装置１１＿３の排気量２００ｍ３／ｈと、熱交換換気装置１１＿４の排気量４００ｍ３／ｈとの合計で、必要換気量１２００ｍ３／ｈに到達するように送風機動作設定が規定されている。
【０１７４】
また、普通換気モード時の場合、熱交換換気装置１１＿１の給気量４００ｍ３／ｈと、熱交換換気装置１１＿２の給気量４００ｍ３／ｈと、熱交換換気装置１１＿３の給気量０ｍ３／ｈと、熱交換換気装置１１＿４の給気量４００ｍ３／ｈとの合計で、必要換気量１２００ｍ３／ｈに到達するように送風機動作設定が規定されている。同様に、熱交換換気装置１１＿１の排気量４００ｍ３／ｈと、熱交換換気装置１１＿２の排気量０ｍ３／ｈと、熱交換換気装置１１＿３の排気量４００ｍ３／ｈと、熱交換換気装置１１＿４の排気量４００ｍ３／ｈとの合計で、必要換気量１２００ｍ３／ｈに到達するように送風機動作設定が規定されている。
【０１７５】
次に動作例について図１３を用いて説明する。なお、以降の説明は上記の前提を想定している。つまり、リモートコントローラー６３から駆動制御装置６１に各種設定値を変更する指令が供給された後の動作例について説明する。
【０１７６】
ステップＳ１４１において、駆動制御装置６１は、普通換気モード時の設定であるか否かを判定する。駆動制御装置６１は、普通換気モード時の設定である場合、ステップＳ１４２に進む。一方、駆動制御装置６１は、普通換気モード時の設定でない場合、処理を終了する。
【０１７７】
ステップＳ１４２において、駆動制御装置６１は、換気対象空間５の必要換気量を取得する。
【０１７８】
ステップＳ１４３において、駆動制御装置６１は、各熱交換換気装置１１の給気量を取得する。
【０１７９】
ステップＳ１４４において、駆動制御装置６１は、取得した給気量の合計を求める。
【０１８０】
ステップＳ１４５において、駆動制御装置６１は、給気量の合計値と必要換気量との比較結果は何れであるかを判定する。駆動制御装置６１は、給気量の合計値が必要換気量と比べて大きい場合、ステップＳ１４６に進む。駆動制御装置６１は、給気量の合計値が必要換気量と等しい場合、ステップＳ１４７に進む。駆動制御装置６１は、給気量の合計値が必要換気量と比べて小さい場合、ステップＳ１４８に進む。
【０１８１】
ステップＳ１４６において、駆動制御装置６１は、給気量の合計値を必要換気量に下げ、ステップＳ１４９に進む。
【０１８２】
ステップＳ１４７において、駆動制御装置６１は、現在の給気量を維持し、ステップＳ１４９に進む。
【０１８３】
ステップＳ１４８において、駆動制御装置６１は、給気量の合計値を必要換気量に上げ、ステップＳ１４９に進む。
【０１８４】
ステップＳ１４９において、駆動制御装置６１は、排気量の合計値と必要換気量との比較結果は何れであるかを判定する。駆動制御装置６１は、排気量の合計値が必要換気量と比べて大きい場合、ステップＳ１５０に進む。駆動制御装置６１は、排気量の合計値が必要換気量と等しい場合、ステップＳ１５１に進む。駆動制御装置６１は、排気量の合計値が必要換気量と比べて小さい場合、ステップＳ１５２に進む。
【０１８５】
ステップＳ１５０において、駆動制御装置６１は、排気量の合計値を必要換気量に下げ、処理を終了する。
【０１８６】
ステップＳ１５１において、駆動制御装置６１は、現在の排気量を維持し、処理を終了する。
【０１８７】
ステップＳ１５２において、駆動制御装置６１は、排気量の合計値を必要換気量に上げ、処理を終了する。
【０１８８】
要するに、換気システム１では、合計で必要換気量を換気できればよいのであるから、各熱交換換気装置１１において、給気用送風機２３及び排気用送風機２５の何れか一方を駆動させる必要はない。例えば、図１４に示すように、普通換気モード時、熱交換換気装置１１＿２の排気用送風機２５＿２の駆動は停止し、熱交換換気装置１１＿３の給気用送風機２３＿３の駆動は停止しているが、システム全体として必要換気量１２００ｍ３／ｈに達しているため、特に問題はない。
【０１８９】
以上、本実施の形態６において、駆動制御装置６１は、駆動制御装置６１と対で設けられている熱交換換気装置１１である自機以外であって、換気対象空間５に存在する少なくとも１台の別の熱交換換気装置１１と通信し、自機以外の、分担換気量を取得し、換気量のうち、給気用送風機２３の給気量の合計が必要換気量と比べて大きい場合、給気量の合計値を必要換気量に下げて給気用送風機２３を制御し、換気量のうち、給気用送風機２３の給気量の合計が必要換気量に等しい場合、給気量の合計値を維持して給気用送風機２３を制御し、換気量のうち、給気用送風機２３の給気量の合計が必要換気量と比べて小さい場合、給気量の合計値を必要換気量に上げて給気用送風機２３を制御し、換気量のうち、排気用送風機２５の排気量の合計が必要換気量と比べて大きい場合、排気量の合計値を必要換気量に下げて排気用送風機２５を制御し、換気量のうち、排気用送風機２５の排気量の合計が必要換気量に達していない場合、排気量の合計値を維持して排気用送風機２５を制御し、換気量のうち、排気用送風機２５の排気量の合計が必要換気量と比べて小さい場合、排気量の合計値を必要換気量に上げて排気用送風機２５を制御するものである。
【０１９０】
上記構成のため、各熱交換換気装置１１で給気用送風機２３及び排気用送風機２５の何れか一方を駆動させなくても、システム全体で必要換気量に到達した制御を行うことができる。
【０１９１】
実施の形態７．
実施の形態１〜実施の形態６との相違点は、換気対象空間５の温度ムラ等を解消するように給気用送風機２３及び排気用送風機２５の駆動を制御する点である。
【０１９２】
なお、本実施の形態７において、特に記述しない項目については実施の形態１〜実施の形態６と同様とし、同一の機能や構成については同一の符号を用いて述べることとする。また、実施の形態１〜実施の形態６と同一の機能や構成についてはその説明を省略する。
【０１９３】
図１５は、本発明の実施の形態７におけるリモートコントローラー６３の制御例を説明するフローチャートである。図１６は、本発明の実施の形態７における換気対象空間５の必要換気量を６００ｍ３／ｈとした場合の給気用送風機２３及び排気用送風機２５の動作設定の一例と、室外温度センサ３７の検出温度Ｔ１及び室内温度センサ３３の検出温度Ｔ２の検出結果の一例とを示す図である。なお、ステップＳ１６１〜ステップＳ１６５、ステップＳ１６８、ステップＳ１６９、及びステップＳ１７２の各処理については、上述した処理と同様であるため、その説明については省略する。
【０１９４】
ステップＳ１６６において、リモートコントローラー６３は、普通換気モード時で室内温度差に応じて温度の低い側の熱交換換気装置１１に給気用の回転速度設定信号を送信する。
【０１９５】
ステップＳ１６７において、リモートコントローラー６３は、普通換気モード時で室内温度差に応じて温度の高い側の熱交換換気装置１１に排気用の回転速度設定信号を送信し、処理を終了する。
【０１９６】
ステップＳ１７０において、リモートコントローラー６３は、普通換気モード時で室内温度差に応じて温度の高い側の熱交換換気装置１１に給気用の回転速度設定信号を送信する。
【０１９７】
ステップＳ１７１において、リモートコントローラー６３は、普通換気モード時で室内温度差に応じて温度の低い側の熱交換換気装置１１に排気用の回転速度設定信号を送信する。
【０１９８】
例えば、図１６に示すように、換気対象空間５の温度ムラを均一化させるため、熱交換換気装置１１＿３から熱交換換気装置１１＿１に気流の向きができるように、熱交換換気装置１１＿３の排気用送風機２５の駆動を停止し、熱交換換気装置１１＿１の給気用送風機２３の駆動を停止している。なお、温度ムラだけでなく、湿度ムラ又はＣＯ２濃度ムラといったものが均一化されるように制御が行われてもよい。例えば、ＣＯ２濃度が低い方（環境が良い方）からＣＯ２濃度が高い方（環境が悪い方）へ気流を作ればよい。
【０１９９】
以上、本実施の形態７において、リモートコントローラー６３は、普通換気モードの場合、換気対象空間５の室内温度のうち、室内温度の低い側の熱交換換気装置１１に給気用送風機２３の回転速度設定信号を送信した場合、室内温度の高い側の熱交換換気装置１１に排気用送風機２５の回転速度設定信号を送信し、換気対象空間５の室内温度のうち、室内温度の高い側の熱交換換気装置１１に給気用送風機２３の回転速度設定信号を送信した場合、室内温度の低い側の熱交換換気装置１１に給気用送風機２３の回転速度設定信号を送信するものである。
【０２００】
上記構成のため、換気対象空間５を均一な状態にすばやく移行させることができる。
【０２０１】
実施の形態８．
実施の形態１〜実施の形態７との相違点は、温度のばらつき度合いの制御ロジックを追加した点である。
【０２０２】
なお、本実施の形態８において、特に記述しない項目については実施の形態１〜実施の形態７と同様とし、同一の機能や構成については同一の符号を用いて述べることとする。また、実施の形態１〜実施の形態７と同一の機能や構成についてはその説明を省略する。
【０２０３】
図１７は、本発明の実施の形態８におけるリモートコントローラー６３の制御例を説明するフローチャートである。
【０２０４】
ステップＳ１８８において、リモートコントローラー６３は温度のばらつき度合いが大きいか否かを判定し、大きい場合には、熱交換換気モードであったとしても、普通換気モードで対応する。
【０２０５】
ステップＳ１９３において、リモートコントローラー６３は温度のばらつき度合いが大きいか否かを判定し、大きい場合には、熱交換換気モードであったとしても、普通換気モードで対応する。
【０２０６】
例えば、室内外の温度差と、各熱交換換気装置１１が検知した居室内の温度Ｔ２＿１〜Ｔ２＿４の最大値と最小値との差、すなわち、温度ムラを比較し、温度ムラの方が大きい場合には、普通換気モードで動作させ、居室内のさらなる快適性を向上させる。
【０２０７】
以上、本実施の形態８において、リモートコントローラー６３は、室外温度が設定温度以上であり、室外温度が室内温度以上であり、室外温度及び室内温度のばらつき度合いが大きい場合、普通換気モードで制御を行い、室外温度が設定温度以上であり、室外温度が室内温度以上であり、室外温度及び室内温度のばらつき度合いが小さい場合、熱交換換気モードで制御を行い、室外温度が設定温度未満であり、室外温度が室内温度未満であり、室外温度及び室内温度のばらつき度合いが大きい場合、普通換気モードで制御を行い、室外温度が設定温度未満であり、室外温度が室内温度未満であり、室外温度及び室内温度のばらつき度合いが小さい場合、熱交換換気モードで制御を行うものである。
【０２０８】
上記構成のため、換気対象空間５の快適性を向上させることができる。
【０２０９】
実施の形態９．
実施の形態１〜実施の形態８との相違点は、必要換気量が給気量と排気量で異なる点である。
【０２１０】
なお、本実施の形態９において、特に記述しない項目については実施の形態１〜実施の形態８と同様とし、同一の機能や構成については同一の符号を用いて述べることとする。また、実施の形態１〜実施の形態８と同一の機能や構成についてはその説明を省略する。
【０２１１】
業種や使用状況に応じて給・排気風量のバランスを任意に変更し、意図的に居室内を正圧あるいは負圧に保つ場合がある。例えば、外からの塵埃や冷気・熱気の侵入を防止する目的で、給気量を排気量よりも多くすることで、居室内を正圧にする場合がある。また、店内の煙や臭気をすばやく除去する目的で、排気量を給気量よりも多くすることで、居室内を負圧にする場合がある。
【０２１２】
図１８は、本発明の実施の形態９における換気対象空間５の必要換気量を給気が８００ｍ３／ｈ、排気が４００ｍ３／ｈとした場合の給気用送風機２３及び排気用送風機２５の動作設定の一例を示す図である。
【０２１３】
図１８に示すように、熱交換換気装置１１＿１は、強制換気運転時の送風機動作設定として、熱交換換気モード時の場合、給気量が中の段階であって、２００ｍ３／ｈの換気量が規定されている。熱交換換気装置１１＿１は、強制換気運転時の送風機動作設定として、熱交換換気モード時の場合、排気量が弱の段階であって、１００ｍ３／ｈの換気量が規定されている。熱交換換気装置１１＿１は、強制換気運転時の送風機動作設定として、普通換気モード時の場合、給気量が強の段階であって、４００ｍ３／ｈの換気量が規定されている。熱交換換気装置１１＿１は、強制換気運転時の送風機動作設定として、普通換気モード時の場合、排気量が停止の段階であって、０ｍ３／ｈの換気量が規定されている。
【０２１４】
また、図１８に示すように、熱交換換気装置１１＿２は、強制換気運転時の送風機動作設定として、熱交換換気モード時の場合、給気量が中の段階であって、２００ｍ３／ｈの換気量が規定されている。熱交換換気装置１１＿２は、強制換気運転時の送風機動作設定として、熱交換換気モード時の場合、排気量が弱の段階であって、１００ｍ３／ｈの換気量が規定されている。熱交換換気装置１１＿２は、強制換気運転時の送風機動作設定として、普通換気モード時の場合、給気量が強の段階であって、４００ｍ３／ｈの換気量が規定されている。熱交換換気装置１１＿２は、強制換気運転時の送風機動作設定として、普通換気モード時の場合、排気量が停止の段階であって、０ｍ３／ｈの換気量が規定されている。
【０２１５】
また、図１８に示すように、熱交換換気装置１１＿３は、強制換気運転時の送風機動作設定として、熱交換換気モード時の場合、給気量が中の段階であって、２００ｍ３／ｈの換気量が規定されている。熱交換換気装置１１＿３は、強制換気運転時の送風機動作設定として、熱交換換気モード時の場合、排気量が弱の段階であって、１００ｍ３／ｈの換気量が規定されている。熱交換換気装置１１＿３は、強制換気運転時の送風機動作設定として、普通換気モード時の場合、給気量が停止の段階であって、０ｍ３／ｈの換気量が規定されている。熱交換換気装置１１＿３は、強制換気運転時の送風機動作設定として、普通換気モード時の場合、排気量が中の段階であって、２００ｍ３／ｈの換気量が規定されている。
【０２１６】
また、図１８に示すように、熱交換換気装置１１＿４は、強制換気運転時の送風機動作設定として、熱交換換気モード時の場合、給気量が中の段階であって、２００ｍ３／ｈの換気量が規定されている。熱交換換気装置１１＿４は、強制換気運転時の送風機動作設定として、熱交換換気モード時の場合、排気量が弱の段階であって、１００ｍ３／ｈの換気量が規定されている。熱交換換気装置１１＿４は、強制換気運転時の送風機動作設定として、普通換気モード時の場合、給気量が停止の段階であって、０ｍ３／ｈの換気量が規定されている。熱交換換気装置１１＿４は、強制換気運転時の送風機動作設定として、普通換気モード時の場合、排気量が中の段階であって、２００ｍ３／ｈの換気量が規定されている。
【０２１７】
よって、普通換気モード時の気流の向きは、熱交換換気装置１１＿１から熱交換換気装置１１＿３であり、熱交換換気装置１１＿２から熱交換換気装置１１＿４であり、両者とも気流の大きさはほぼ同一である。
【０２１８】
つまり、熱交換換気モード時の場合、熱交換換気装置１１＿１の給気量２００ｍ３／ｈと、熱交換換気装置１１＿２の給気量２００ｍ３／ｈと、熱交換換気装置１１＿３の給気量２００ｍ３／ｈと、熱交換換気装置１１＿４の給気量２００ｍ３／ｈとの合計で、必要換気量８００ｍ３／ｈに到達するように送風機動作設定が規定されている。同様に、熱交換換気装置１１＿１の排気量１００ｍ３／ｈと、熱交換換気装置１１＿２の排気量１００ｍ３／ｈと、熱交換換気装置１１＿３の排気量１００ｍ３／ｈと、熱交換換気装置１１＿４の排気量１００ｍ３／ｈとの合計で、必要換気量４００ｍ３／ｈに到達するように送風機動作設定が規定されている。
【０２１９】
また、普通換気モード時の場合、熱交換換気装置１１＿１の給気量４００ｍ３／ｈと、熱交換換気装置１１＿２の給気量４００ｍ３／ｈと、熱交換換気装置１１＿３の給気量０ｍ３／ｈと、熱交換換気装置１１＿４の給気量０ｍ３／ｈとの合計で、必要換気量８００ｍ３／ｈに到達するように送風機動作設定が規定されている。同様に、熱交換換気装置１１＿１の排気量０ｍ３／ｈと、熱交換換気装置１１＿２の排気量０ｍ３／ｈと、熱交換換気装置１１＿３の排気量２００ｍ３／ｈと、熱交換換気装置１１＿４の排気量２００ｍ３／ｈとの合計で、必要換気量４００ｍ３／ｈに到達するように送風機動作設定が規定されている。
【０２２０】
また図１９は、本発明の実施の形態９における換気対象空間５の必要換気量を給気が４００ｍ３／ｈ、排気が８００ｍ３／ｈとした場合の給気用送風機２３及び排気用送風機２５の動作設定の一例を示す図である。
【０２２１】
図１９に示すように、熱交換換気装置１１＿１は、強制換気運転時の送風機動作設定として、熱交換換気モード時の場合、給気量が弱の段階であって、１００ｍ３／ｈの換気量が規定されている。熱交換換気装置１１＿１は、強制換気運転時の送風機動作設定として、熱交換換気モード時の場合、排気量が中の段階であって、２００ｍ３／ｈの換気量が規定されている。熱交換換気装置１１＿１は、強制換気運転時の送風機動作設定として、普通換気モード時の場合、給気量が中の段階であって、２００ｍ３／ｈの換気量が規定されている。熱交換換気装置１１＿１は、強制換気運転時の送風機動作設定として、普通換気モード時の場合、排気量が停止の段階であって、０ｍ３／ｈの換気量が規定されている。
【０２２２】
また、図１９に示すように、熱交換換気装置１１＿２は、強制換気運転時の送風機動作設定として、熱交換換気モード時の場合、給気量が弱の段階であって、１００ｍ３／ｈの換気量が規定されている。熱交換換気装置１１＿２は、強制換気運転時の送風機動作設定として、熱交換換気モード時の場合、排気量が中の段階であって、２００ｍ３／ｈの換気量が規定されている。熱交換換気装置１１＿２は、強制換気運転時の送風機動作設定として、普通換気モード時の場合、給気量が中の段階であって、２００ｍ３／ｈの換気量が規定されている。熱交換換気装置１１＿２は、強制換気運転時の送風機動作設定として、普通換気モード時の場合、排気量が停止の段階であって、０ｍ３／ｈの換気量が規定されている。
【０２２３】
また、図１９に示すように、熱交換換気装置１１＿３は、強制換気運転時の送風機動作設定として、熱交換換気モード時の場合、給気量が弱の段階であって、１００ｍ３／ｈの換気量が規定されている。熱交換換気装置１１＿３は、強制換気運転時の送風機動作設定として、熱交換換気モード時の場合、排気量が中の段階であって、２００ｍ３／ｈの換気量が規定されている。熱交換換気装置１１＿３は、強制換気運転時の送風機動作設定として、普通換気モード時の場合、給気量が停止の段階であって、０ｍ３／ｈの換気量が規定されている。熱交換換気装置１１＿３は、強制換気運転時の送風機動作設定として、普通換気モード時の場合、排気量が強の段階であって、４００ｍ３／ｈの換気量が規定されている。
【０２２４】
また、図１９に示すように、熱交換換気装置１１＿４は、強制換気運転時の送風機動作設定として、熱交換換気モード時の場合、給気量が弱の段階であって、１００ｍ３／ｈの換気量が規定されている。熱交換換気装置１１＿４は、強制換気運転時の送風機動作設定として、熱交換換気モード時の場合、排気量が中の段階であって、２００ｍ３／ｈの換気量が規定されている。熱交換換気装置１１＿４は、強制換気運転時の送風機動作設定として、普通換気モード時の場合、給気量が停止の段階であって、０ｍ３／ｈの換気量が規定されている。熱交換換気装置１１＿４は、強制換気運転時の送風機動作設定として、普通換気モード時の場合、排気量が強の段階であって、４００ｍ３／ｈの換気量が規定されている。
【０２２５】
よって、普通換気モード時の気流の向きは、熱交換換気装置１１＿１から熱交換換気装置１１＿３であり、熱交換換気装置１１＿２から熱交換換気装置１１＿４であり、両者とも気流の大きさはほぼ同一である。
【０２２６】
つまり、熱交換換気モード時の場合、熱交換換気装置１１＿１の給気量１００ｍ３／ｈと、熱交換換気装置１１＿２の給気量１００ｍ３／ｈと、熱交換換気装置１１＿３の給気量１００ｍ３／ｈと、熱交換換気装置１１＿４の給気量１００ｍ３／ｈとの合計で、必要換気量４００ｍ３／ｈに到達するように送風機動作設定が規定されている。同様に、熱交換換気装置１１＿１の排気量２００ｍ３／ｈと、熱交換換気装置１１＿２の排気量２００ｍ３／ｈと、熱交換換気装置１１＿３の排気量２００ｍ３／ｈと、熱交換換気装置１１＿４の排気量２００ｍ３／ｈとの合計で、必要換気量８００ｍ３／ｈに到達するように送風機動作設定が規定されている。
【０２２７】
また、普通換気モード時の場合、熱交換換気装置１１＿１の給気量２００ｍ３／ｈと、熱交換換気装置１１＿２の給気量２００ｍ３／ｈと、熱交換換気装置１１＿３の給気量０ｍ３／ｈと、熱交換換気装置１１＿４の給気量０ｍ３／ｈとの合計で、必要換気量４００ｍ３／ｈに到達するように送風機動作設定が規定されている。同様に、熱交換換気装置１１＿１の排気量０ｍ３／ｈと、熱交換換気装置１１＿２の排気量０ｍ３／ｈと、熱交換換気装置１１＿３の排気量４００ｍ３／ｈと、熱交換換気装置１１＿４の排気量４００ｍ３／ｈとの合計で、必要換気量８００ｍ３／ｈに到達するように送風機動作設定が規定されている。
【０２２８】
よって、システム全体で給気量と排気量の必要換気量が異なる場合であっても、必要換気量を満たすように送風機動作設定が規定されている。つまり、各熱交換換気装置１１が分担する分担換気量が設定されている。また、普通換気モード時においては、給気用送風機２３及び排気用送風機２５の何れか一方のみが駆動するように規定されているため、各熱交換器２１で熱交換が行われない。すなわち、普通換気モード時においては、各熱交換器２１でエンタルピ交換がなされることはない。よって、風路切替手段なしで各熱交換器２１のエンタルピ交換をするか否かを制御できるため、装置コストを低減させることができる。
【０２２９】
なお、実施の形態１〜実施の形態９は、単独で実施されてもよく、組み合わせて実施されてもよい。いずれの場合においても、上記で説明した有利な効果を奏することとなる。
【０２３０】
また、実施の形態１〜実施の形態９では、強制換気運転又は任意換気運転という制御状態に遷移していく動作例について説明したが、特にこれらに限定しない。つまり、強制換気運転に移行後の動作例として各種動作を説明したが、特にこれらに限定しない。要するに、換気システム１において、少なくとも１台の給気用送風機２３が駆動し、少なくとも他の１台の排気用送風機２５が駆動することで、システム全体として必要換気量が満たされていればよい。
【符号の説明】
【０２３１】
１  換気システム、５  換気対象空間、７  出入口、１１、１１＿１〜１１＿４  熱交換換気装置、１２  筐体、１３  室外側吐出口、１５  室外側吸込口、１７  室内側吸込口、１９  室内側吐出口、２１  熱交換器、２３  給気用送風機、２５  排気用送風機、３３  室内温度センサ、３７  室外温度センサ、５１  給気風路、５３  排気風路、６１  駆動制御装置、６３  リモートコントローラー、６５  出力手段、６７  入力手段、７０  伝送路、９１、９３  バス、１０１、１１１  マイクロコンピュータ、１０３  機能設定手段、１０５、１１５  揮発性メモリ、１０７、１１７  不揮発性メモリ、１０９、１１９  送受信手段。
【図１】
2014173795.tif 000003
【図２】
2014173795.tif 000004
【図３】
2014173795.tif 000005
【図４】
2014173795.tif 000006
【図５】
2014173795.tif 000007
【図６】
2014173795.tif 000008
【図７】
2014173795.tif 000009
【図８】
2014173795.tif 000010
【図９】
2014173795.tif 000011
【図１０】
2014173795.tif 000012
【図１１】
2014173795.tif 000013
【図１２】
2014173795.tif 000014
【図１３】
2014173795.tif 000015
【図１４】
2014173795.tif 000016
【図１５】
2014173795.tif 000017
【図１６】
2014173795.tif 000018
【図１７】
2014173795.tif 000019
【図１８】
2014173795.tif 000020
【図１９】
2014173795.tif 000021